(57)【要約】【課題】空気清浄と空気加湿を行うことができる加湿空気清浄機を提供する。【解決手段】加湿空気清浄機は、上部部分に開口部分が形成されたキャビネットと、キャビネットの開口部分の下方に配置されたスクロールハウジングと、を含み、スクロールハウジングには送風ファンが配置される。スクロールハウジングは、送風ファンの外周（または周囲）の一部を囲む丸みのある第１のガイドと、第１のガイドの一方の端部部分から開口部分に向かって延在する第２のガイドと、第１のガイドの他方の端部部分に形成されたカットオフ部分から開口部分に向かって延在し、第２のガイドから離れて開口部分に向かう方向に傾斜した第３のガイドと、第３のガイドの上端部分から第２のガイドから離れる方向に水平に延在し、開口部分の下方に位置する延長プレートと、を含んでもよい。【選択図】図１
2020079692.tif 000002
【特許請求の範囲】
【請求項１】
加湿空気清浄機であって、
一対のサイドパネルと、前記一対のサイドパネルをそれぞれ相互接続する上部パネルおよび後部パネルとを備えたキャビネットと、
前記キャビネットの前面に結合され、前記キャビネットから選択的に引き出され、かつ前記キャビネットに引き込まれるように構成され支持されたドアアセンブリと、
吸気口であって、前記吸気口を通って前記キャビネットの内側部分に空気が流れるように、前記ドアアセンブリに形成された吸気口と、
前記上部パネルの後側に位置し、空気が排出される排出部分と、
排出グリルであって、前記排出グリルの上端部に向かって前方に傾斜するように延在し、前記排出部分の上側を覆う複数のグリルガイドを含む排出グリルとを備えてなる、加湿空気清浄機。
【請求項２】
前記複数のグリルガイドは、前後方向に互いに離間している、請求項１に記載の加湿空気清浄機。
【請求項３】
前記後部パネルは前方に延在する上面を備え、
前記排出部分は、前記後部パネルの上面に垂直開口部を備えてなる、請求項１に記載の加湿空気清浄機。
【請求項４】
前記後部パネルの上面はグリル設置溝を備え、
前記排出グリルは、前記複数のグリルガイドの上端部が前記上部パネルの上端部と同じ高さに位置するように前記グリル設置溝に着座されてなる、請求項１に記載の加湿空気清浄機。
【請求項５】
送風ファンと、
前記キャビネットの内側に設けられ、前記送風ファンを取り囲む外面を有するハウジングカバーとを更に備えてなる、請求項１に記載の加湿空気清浄機。
【請求項６】
前記ハウジングカバーの前記外面は、
前記ハウジングカバーから延在し、前記送風ファンを通過する空気を半径方向上向きにガイドするガイドプレートと、
前記ガイドプレートの端部部分から前記ハウジングカバーの上端部に沿って横方向に延在する延長プレートとを備えてなる、請求項５に記載の加湿空気清浄機。
【請求項７】
前記延長プレートは、前記排出グリルを支持するように構成された段付きリブを備えてなる、請求項６に記載の加湿空気清浄機。
【請求項８】
前記送風ファンは、空気を吸込み排出するためのインペラを備え、
前記インペラのブレードは、
平均キャンバ線上で最大キャンバを有する点に対応する前記ブレードの負圧面上の点として定義される最大キャンバ点と、
前記負圧面と正圧面の間の距離が最大になる前記ブレードの前記負圧面上の別の点として定義される基準点とを備えてなり、
前記ブレードの前記負圧面は、前記最大キャンバ点から前記ブレードの前縁までの平坦な表面として形成された線形面を備えてなる、請求項５に記載の加湿空気清浄機。
【請求項９】
前記ハウジングカバーは、少なくとも１つのセンサ装置が取り付けられるセンサブラケットを更に備えてなる、請求項５に記載の加湿空気清浄機。
【請求項１０】
前記センサブラケットは、前記ハウジングカバーの前記外面によって形成された凹状空間に配置される、請求項９に記載の加湿空気清浄機。
【請求項１１】
加湿空気清浄機であって、
一対のサイドパネルと、前記一対のサイドパネルをそれぞれ相互接続する上部パネルおよび後部パネルとを備えたキャビネットと、
前記キャビネットの上部部分に画定され、前記上部パネルの後側に配置された開口部分と、
前記開口部分の下側に配置されたスクロールハウジングと、
前記スクロールハウジングの内側に取り付けられた送風ファンとを備えてなり、
前記スクロールハウジングは、
丸く形成され、前記送風ファンの外面の一部を取り囲む第１のガイドと、
前記一対のサイドパネルの一方のサイドパネルに近接して配置され、前記第１のガイドの一方の端部部分で上方に延在する第２のガイドと、
前記一対のサイドパネルの他方のサイドパネルに近接して配置され、前記第１のガイドの他方の端部部分から上方に延在する第３のガイドとを備え、
前記第３のガイドの上端部と前記他方のサイドパネルとの間の距離は、前記第２のガイドの上端部と前記一方のサイドパネルとの間の距離よりも長い、加湿空気清浄機。
【請求項１２】
前記第３のガイドは、前記キャビネットの前記上部部分に向かって前記第２のガイドから離れる方向に斜めに延在する、請求項１１に記載の加湿空気清浄機。
【請求項１３】
前記第３のガイドの前記上端部は、前記第１のガイドと下向き方向に重なるように配置される、請求項１１に記載の加湿空気清浄機。
【請求項１４】
前記スクロールハウジングは、前記第３のガイドの前記上端部から前記他方のサイドパネルに向かって延在する延長プレートを更に備えてなる、請求項１１に記載の加湿空気清浄機。
【請求項１５】
前記開口部分は、
前記第２のガイドと前記第３のガイドとの間の空間と連通する排出部分と、
前記延長プレートに下向き方向に面する非排出部分とを備えてなる、請求項１４に記載の加湿空気清浄機。
【請求項１６】
加湿空気清浄機であって、
キャビネットと、
前記キャビネットから選択的に引き出され、かつ前記キャビネットに引き込まれるように構成され支持されたドアアセンブリと、
前記キャビネットに配置されたファンハウジングと、
前記ファンハウジングに結合されたファンモータと、
前記ファンモータに結合された送風ファンと、
前記ファンハウジングの後側に結合され、前記送風ファンを収容するハウジングカバーとを備えてなり、
前記ハウジングカバーは、
前記ハウジングカバーの後面を形成するカバープレートと、
前記カバープレートの側端部に沿って前方に延在し、前記送風ファンからの空気の排出流路を画定するガイドプレートとを備え、
前記ガイドプレートは、
前記送風ファンから離間した前記送風ファンの回転方向に沿って延在する第１のガイドを備えてなる、加湿空気清浄機。
【請求項１７】
前記ガイドプレートは、
前記第１のガイドから上方に延在する第２のガイドと、
前記第１のガイドから前記第２のガイドの反対側に配置され、前記第１のガイドに対して傾斜するように前記第１のガイドから上方に延在する第３のガイドとを更に備えてなる、請求項１６に記載の加湿空気清浄機。
【請求項１８】
前記ガイドプレートは、前記第１のガイドと前記第３のガイドとの間に配置されたカットオフ部分を備え、
前記カットオフ部分は、前記排出流路に向かって突出する、請求項１７に記載の加湿空気清浄機。
【請求項１９】
前記カットオフ部分の内面は、複数の窪んだ表面部分および突出した表面部分を有する曲面として形成される、請求項１８に記載の加湿空気清浄機。
【請求項２０】
前記カットオフ部分は、前記第１のガイドと前記第３のガイドとを相互接続する方向として定義される第１の方向に対して丸みを帯びており、
前記カットオフ部分の少なくとも一部は、前記カットオフ部分の前端部と後端部とを相互接続する方向として定義される第２の方向に対して丸みを帯びている、請求項１８に記載の加湿空気清浄機。
【発明の詳細な説明】
【技術分野】
【０００１】
本発明は、空気清浄と空気加湿を行うことができる加湿空気清浄機に関する。
【背景技術】
【０００２】
空気清浄機は、汚染された空気を吸い込んで浄化し、浄化された空気を排出する装置として理解されている。例えば、空気清浄機は、空気清浄機の内側部分に外気を流入させるための送風装置と、空気中のダストや細菌などをフィルタ処理するためのフィルタと、を含んでもよい。
【０００３】
加湿器は、空気を吸い込んで加湿し、加湿空気を排出して空気に水分を供給するための装置として理解される。従来の加湿器は、振動板で水を霧化した後に空気中に排出する振動型と、加湿フィルタで水が自然に蒸発する自然蒸発型と、に分類される。自然蒸発型加湿器には、駆動力でディスクを回転させ、空気中のディスク表面から水を自然に蒸発させるディスク型加湿器と、水に浸した加湿媒体に空気を流すことで水が自然に蒸発する加湿フィルタ型加湿器と、が含まれる。
【０００４】
近年、空気清浄機に加湿機能を付加した加湿空気清浄機が開発されている。特開２０１１−２２６６７０号公報（２０１１年１１月１１日公開）に開示した加湿空気浄化装置では、空気を吸い込む吸気口が本体と前面パネルとの間に配置され、加湿された空気排出される排出ポートが本体の上面に配置されている。
【０００５】
しかしながら、特開２０１１−２２６６７０号公報に開示した加湿空気浄化装置には、以下の問題がある。
【０００６】
吸気口がフロントパネルの上、下、左、右の縁部に形成されているため、異なる方向に吸い込まれた空気は互いに干渉し、本体に吸い込まれた空気がスムーズに流れないことがある。
【０００７】
さらに、吸気口は加湿空気浄化装置の外観を損なう可能性がある。
【０００８】
さらに、送風手段により送風された空気を上方に導く構造がないため、送風手段により送風された空気の一部のみが上側の排出ポートに排出され、他の部分は本体内に滞留し、効率が低下する場合がある。
【０００９】
さらに、加湿空気浄化装置の運転中に排出ポートが開いているため、大きな異物が排出ポートに侵入する可能性がある。さらに、ユーザの体が入ると、回転する送風手段により負傷する危険がある。
【００１０】
さらに、排出ポートには加湿空気の排出角度を調整するための羽根が配置されているが、羽根が後方に曲がっている場合、加湿空気浄化装置の背後にある壁は、排出される加湿空気によって加湿されるため、カビなどが発生する恐れがある。
【００１１】
さらに、加湿空気浄化装置をベッドの隣に設置する場合、排出ポートの加湿空気をユーザの顔や頭に向けて直接排出し、ユーザに不快感を与える場合がある。
【先行技術文献】
【特許文献】
【００１２】
【特許文献１】特開２０１１−２２６６７０号公報
【発明の概要】
【００１３】
［発明が解決しようとする課題］
［課題を解決するための手段］
本発明の目的は、浄化または加湿された排出空気の流れが屋内使用環境に適するような加湿空気清浄機を提供することである。
【００１４】
本発明の別の目的は、送風ファンの駆動に起因するノイズを低減することができる加湿空気清浄機を提供することである。
【００１５】
本発明の別の目的は、空気の流れによって発生するノイズを効果的に低減することができる加湿空気清浄機を提供することである。
【００１６】
本発明の別の目的は、ユーザの睡眠環境を快適に形成することができる加湿空気清浄機を提供することである。
【００１７】
本発明の別の目的は、複数のセンサの機能を空気力学的に効果的に実行することができるハウジング構造を有する加湿空気清浄機を提供することである。
【００１８】
上記の目的を達成するために、本実施形態の加湿空気清浄機は、上側に向かって前方に斜めに形成された複数のグリルガイドを有し、かつ排出部分を上側から覆う排出グリルを含む。
【００１９】
したがって、排出部分から排出された空気が複数のグリルガイドによって前方上側に導かれるので、加湿空気清浄機の背後に位置する壁が濡れるのを防ぐことができる。さらに、所定サイズ以上の異物が排出部分に入ることを防止することができる。
【００２０】
さらに、凹部部分がドアアセンブリのベースと下端部分との間に位置し、吸気口が凹部部分の上側に位置して、ドアアセンブリの底面に形成されてもよい。
【００２１】
したがって、吸気口はユーザには見えないため、加湿空気清浄機の外観を審美的に改善することができる。さらに、凹部部分および吸気口を通して室内空気をキャビネット内にスムーズに吸い込むことができる。
【００２２】
詳細には、本実施形態による加湿空気清浄機は、ベースと、ベースの両側に設けられた一対のサイドパネルと、一対のサイドパネルをそれぞれ結合する上部パネルおよび後部パネルと、を含むキャビネットを含んでもよい。
【００２３】
さらに、加湿空気清浄機は、キャビネットの前面から引き出され、かつベースに対して上方に離間され得るようにキャビネットに結合されたドアアセンブリをさらに含んでもよい。
【００２４】
さらに、加湿空気清浄機は、ドアアセンブリの下端部とベースとの間に配置され、後部に向かって窪んだ空間として画定された凹部部分をさらに含んでもよい。
【００２５】
さらに、加湿空気清浄機は、ドアアセンブリの下面に形成されて空気が流れる吸気口をさらに含んでもよい。吸気口は、キャビネットの内側部分と連通してもよい。
【００２６】
さらに、ドアアセンブリには、エアフィルタおよび加湿フィルタが設けられてもよい。
【００２７】
エアフィルタと加湿フィルタとの間隔Ｌ１は、加湿フィルタと送風ファンとの間隔Ｌ２よりも大きくてもよい。
【００２８】
さらに、ドア下面部分からエアフィルタの上端部までのドアアセンブリの高さＨ１は、ドア下面部分から加湿フィルタの上端部までの高さＨ２よりも高くてもよい。
【００２９】
さらに、加湿フィルタの高さはエアフィルタよりも低くてもよい。
【００３０】
ドア下面部分からエアフィルタの下端部までの高さＴ１は、ドア下面部分から加湿フィルタの下端部までの高さＴ２よりも高くてもよい。
【００３１】
さらに、加湿空気清浄機は、上部パネルの後側に配置され、かつ加湿フィルタを通過した空気が排出される排出部分をさらに含んでもよい。
【００３２】
さらに、加湿空気清浄機は、上端部に向かって前方に傾斜するように延在する複数のグリルガイドを有し、かつ排出部分の上側を覆う排出グリルをさらに含んでもよい。
【００３３】
複数のグリルガイドは、前後方向に互いに離間して、仮想垂直線に対して一定の角度を維持することができる。
【００３４】
したがって、空気を常に前方および上方に排出することができ、加湿空気清浄機の背後に位置する壁が濡れることを防ぐことができる。
【００３５】
さらに、後部パネルの上部部分は、前方に延在する上面を形成するために屈曲されてもよい。排出部分は、後部パネルの上面に、垂直方向に開口する開口部を形成してもよい。
【００３６】
したがって、排出部分を上部パネルの背後に配置することができ、後部パネルの上面を上部パネルに容易に接続することができる。
【００３７】
さらに、後部パネルの上面には、排出グリルが着座するグリル設置溝が形成されてもよい。排出グリルをグリル設置溝に安定して取り付けることができる。
【００３８】
一方、加湿空気清浄機は、キャビネッのト内側に設けられ、送風ファンを取り囲む外面を有するハウジングカバーをさらに含んでもよい。
【００３９】
ハウジングカバーの外面は、送風ファンを通過する空気を半径方向上方に導くように延在するガイドプレートと、ガイドプレートの端部部分からハウジングカバーの上端部に沿って横方向に延在する延長プレートと、を含んでもよい。
【００４０】
延長プレートには、排出グリルを支持するための段付きリブが形成されてもよい。
【００４１】
さらに、排出部分は、ガイドプレートによって形成された排出流路と連通してもよい。
【００４２】
さらに、送風ファンは、空気を吸込み排出するためのインペラを含んでもよい。
【００４３】
インペラのブレードは、平均キャンバ線上で最大キャンバを有する点に対応する負圧面上の点として定義される最大キャンバ点と、負圧面と圧力面との間の距離が最大になる負圧面上の別の点として定義される基準点と、を含んでもよい。
【００４４】
負圧面は、最大キャンバ点から前縁までの平坦な表面として形成された線形面を含んでもよい。
【００４５】
線形面は、基準点と前縁との間に位置する第１の線形面と、基準点と最大キャンバ点との間に位置する第２の線形面と、を含んでもよい。
【００４６】
第１の線形面と第２の線形面との間の角度は、鈍角であってもよい。
【００４７】
前縁と基準点との間の距離ＤＬは、翼弦長ＣＬの０．２１〜０．２７倍であってもよい。
【００４８】
上記インペラのブレード構造によれば、送風ファンの駆動時の流れノイズを低減することができる。
【００４９】
さらに、ハウジングカバーは、複数のセンサデバイスが装着されるセンサブラケットをさらに含んでもよい。センサブラケットは、ハウジングカバーの外面によって形成された凹状空間に配置されてもよい。
【００５０】
したがって、複数のセンサに対する空気流の影響を最小限に抑えることができる。
【００５１】
複数のセンサデバイスは、ダストセンサ、ガスセンサ、および湿度センサのうちの少なくとも１つを含んでもよい。
【００５２】
さらに、ハウジングカバーは、カットオフ部分から斜め上方に延在するガイドプレートと、ガイドプレートからハウジングカバーの上端部に沿って延在する延長プレートと、を含んでもよい。
【００５３】
ここで、ガイドプレートおよび延長プレートは、センサブラケットが取り付けられる凹状空間を形成してもよい。
【００５４】
さらに、カットオフ部分の内面は、窪んだ表面と突出した表面とが繰り返されるように設けられた曲面として形成されてもよい。
【００５５】
一方、本実施形態による加湿空気清浄機では、キャビネットの上部部分に排出部分を含む開口部分が形成されてもよい。
【００５６】
キャビネットには、送風ファンを有するスクロールハウジングが取り付けられてもよい。
【００５７】
スクロールハウジングは、開口部の下方に配置されてもよい。
【００５８】
したがって、スクロールハウジングによる流れ損失を最小限に抑えることにより、送風ファンにより送風された加湿空気を開口部分に導くことができる。言い換えると、送風ファンの効率を向上させることができる。
【００５９】
さらに、第２のガイドは垂直方向に長くてもよく、第３のガイドは、第３のガイドから上側に離れる方向に傾斜してもよい。
【００６０】
第３のガイドの上端部とキャビネットの一方の側に設けられたサイドパネルとの間の最短距離は、第２のガイドの上端部とキャビネットの他方の側に取り付けられたサイドパネルとの間の最短距離よりも長くてもよい。
【００６１】
したがって、第３のガイドの傾きを水平よりも垂直に近づけることができ、第３のガイドに導かれた空気流が左右方向に対してほぼ水平に排出されることを防ぐことができる。
【００６２】
詳細には、本実施形態による加湿空気清浄機は、両側に設けられた一対のサイドパネルと、一対のサイドパネルをそれぞれ接続する上部パネルおよび後部パネルと、を有するキャビネットを含んでもよい。
【００６３】
さらに、本実施形態による加湿空気清浄機は、キャビネットの上部部分に形成された開口部分をさらに含んでもよい。
【００６４】
さらに、本実施形態による加湿空気清浄機は、キャビネットの開口部分の下方に配置され、送風ファンを含むスクロールハウジングをさらに含んでもよい。
【００６５】
スクロールハウジングは、送風ファンの外周の一部を囲むように丸みを帯びて形成された第１のガイドを含んでもよい。
【００６６】
さらに、スクロールハウジングは、一対のサイドパネルの一方のサイドパネルの近くに配置され、第１のガイドの一方の端部部分で上方に延在する第２のガイドをさらに含んでもよい。
【００６７】
さらに、スクロールハウジングは、一対のサイドパネルの他方のサイドパネルの近くに配置され、第１のガイドの他方の端部部分から上方に延在する第３のガイドをさらに含んでもよい。
【００６８】
第３のガイドは、第１のガイドに接続された部分に形成されたカットオフ部分から上部部分に向かって第２のガイドから離れる方向に斜めに延在してもよい。
【００６９】
第３のガイドの上端部と他方のサイドパネルとの間の距離は、第２のガイドの上端部と一方のサイドパネルとの間の距離より長くてもよい。
【００７０】
さらに、第３のガイドの上端部は、下向きに見たときに第１のガイドと重なるように配置されてもよい。
【００７１】
したがって、第３のガイドの傾きを水平よりも垂直に近づけることができる。これによれば、第３のガイドに導かれた空気流の側方成分が排出部分を通過する際にほぼ水平に排出されることを防止できる。
【００７２】
さらに、後部パネルの上部部分は屈曲し、上面を形成するように前方に延在してもよい。ここで、開口部分は、後部パネルの上面に垂直方向に開口する開口部として画定されてもよい。
【００７３】
さらに、スクロールハウジングは、第３のガイドの上端部から他方のサイドパネルに向かって水平に延在する延長プレートをさらに含んでもよい。
【００７４】
さらに、開口部分は、第２のガイドと第３のガイドとの間の空間と下方に連通する排出部分と、延長プレートに下向きに面した非排出部分と、を含んでもよい。
【００７５】
ここで、排出部分の面積は、非排出部分の面積よりも広くてもよい。
【００７６】
さらに、開口部分には、上部部分に向かって前方に傾斜するように延在する複数のグリルガイドが取り付けられてもよい。
【００７７】
さらに、開口部分には、開口部分の上側を覆う排出グリルが取り付けられてもよい。
【００７８】
さらに、複数のグリルガイドは、前後方向に互いに離間して配置されてもよい。グリルガイドの延在方向は、仮想垂直線に対して一定の角度を維持することができる。
【００７９】
さらに、排出グリルの一部は排出部分を覆い、排出グリルの別の部分は非排出部分を覆ってもよい。
【００８０】
さらに、排出グリルを支持するための段付きリブが延長プレートに形成されてもよい。
【００８１】
一方、本実施形態による加湿空気清浄機は、第３のガイドの上端部から第２のガイドから離れる方向に延在し、かつ開口部分の下方に位置する延長プレートを含むスクロールハウジングを含んでもよい。
【００８２】
第３のガイドは、垂直に近くなるように傾斜してもよい。したがって、第３のガイドによって導かれる空気流により、側面方向に排出される流れ成分を低減することができる。
【００８３】
詳細には、本実施形態による加湿空気清浄機は、上部部分に開口部分が形成されたキャビネットと、キャビネットの開口部分の下に配置され、内部に送風ファンを有するスクロールハウジングと、を含んでもよい。スクロールハウジングは、送風ファンの外周（または円周）の一部を囲むように丸みを帯びて形成された第１のガイドと、第１のガイドの一方の端部部分から開口部分に向かって延在する第２のガイドと、第１のガイドの他方の端部部分に形成されたカットオフ部分から開口部分に向かって延在し、第３のガイドが開口部分に近づくにつれて第２のガイドから離れる方向に傾斜する第３のガイドと、第３のガイドの上端部分から第２のガイドから離れる方向に水平に延在し、開口部分の下方に位置する延長プレートと、を含んでもよい。
【００８４】
さらに、加湿空気清浄機は、上端部が前方に傾斜するように斜めに形成された複数のグリルガイドが設けられ、かつ開口部分を上側から覆う排出グリルをさらに含んでもよい。
【００８５】
第３のガイドと延長プレートとの接続部分（縁部）は、第１のガイドと下方に重なるように配置されてもよい。
【００８６】
別の観点では、本発明の実施形態による加湿空気清浄機は、内部ノイズを低減するための構造を提案することができる。
【００８７】
加湿空気清浄機は、キャビネットから引き出されるようにキャビネットに結合されたドアアセンブリと、キャビネットに設けられ、ファンモータに結合されたファンハウジングと、ファンハウジングの後側に結合され、ファンモータに結合された送風ファンを収容するハウジングカバーと、を含んでもよい。
【００８８】
ハウジングカバーは、後部の一方の面に設けられたカバープレートと、カバープレートの側端部に沿って前方に延在し、送風ファンを通過した空気が流れる排出流路を画定するガイドプレートと、を含んでもよい。
【００８９】
ガイドプレートは、送風ファンから離れるように、送風ファンの回転方向に沿って延在する第１のガイドを含んでもよい。
【００９０】
さらに、ガイドプレートは、第１のガイドから上方に延在する第２のガイドと、第２のガイドの反対側に配置され、傾斜するように第１のガイドから上方に延在する第３のガイドと、をさらに含んでもよい。
【００９１】
さらに、ガイドプレートは、第１のガイドと第３のガイドとの間に位置するカットオフ部分を含み、カットオフ部分は、排出流路に向かって突出するように形成されてもよい。
【００９２】
さらに、送風ファンに設けられたカットオフ部分とインペラとの最小距離ｇは、インペラの直径Ｇの８％以上１０％以下であってもよい。
【００９３】
カットオフ部分は、第１のガイドと第３のガイドとを接続する方向として定義される第１の方向に対して丸みを帯びるように形成されてもよく、カットオフ部分の前端部と後端部とを接続する方向として定義される第２の方向に対して少なくとも部分的に丸みを帯びるように形成されてもよい。
【００９４】
さらに、排出流路は、第１のガイドに沿って形成された第１の排出流路と、第２のガイドと第３のガイドとの間に形成された第２の排出流路と、を含んでもよい。
【００９５】
上記構成によれば、第１の排出流路から第２の排出流路に流れる空気の一部がカットオフ部分の端部部分に衝突する際に発生するノイズを低減することができる。
【００９６】
本発明の実施形態による加湿空気清浄機は、以下の効果を有する。
【００９７】
第１に、排出グリルによって排出部分から排出された加湿空気を前部上側面に排出することができる。その結果、加湿空気清浄機の背後に位置する壁が濡れることを防止でき、壁に水分によるカビが発生することを防止できる。
【００９８】
さらに、排出グリルの複数のグリルガイドは、前後方向に互いに離間し、仮想垂直線に対して一定の角度に維持されるため、排出ポートから排出された加湿空気が常に前部上側面に排出されるように維持される。さらに、所定サイズ以上の異物やユーザの体が排出部分に入ることを防止することができる。
【００９９】
さらに、延長プレートは、第３のガイドの上端部分で水平方向に延在するため、延長プレートが形成されていない場合に比べて、第３のガイドの傾きを急に形成することができる。これにより、左右方向に斜めに形成されてスクロール流路を形成する第３のガイドに導かれた空気を、左右方向に対してほぼ垂直に排出することができる。そのため、加湿空気清浄機をベッドの横に置いて使用する場合、排出部分から排出される加湿空気がユーザの頭や顔に直接向けられず、ユーザが不快に感じることがないという利点がある。
【０１００】
さらに、第３のガイドの上端部分とそれに隣接するサイドパネルとの間の水平距離は、第２のガイドの上端部分とそれに隣接するサイドパネルとの間の水平距離よりも長くてもよい。その結果、一対のサイドパネル間に延長プレートを配置する空間を確保することができる。
【０１０１】
さらに、第３のガイドの上端部分は、第１のガイドと垂直方向に重なっていてもよい。その結果、第３のガイドの上端部分を第１のガイドの外側に形成する場合に比べて、第３のガイドの上端部分から延在する延長プレートを十分に長く形成することができる。
【０１０２】
さらに、開口部分は、垂直方向にスクロールハウジングの内側部分に向かって導かれる排出部分だけでなく、垂直方向に延長プレートに向かって導かれる非排出部分も含んでもよい。これにより、開口部分が左右方向の一方に偏って形成されないため、加湿空気清浄機の外観を美観的に向上させることができる。
【０１０３】
さらに、加湿空気を広げてスクロールハウジングの排出ポートから排出部分に流すことができる。したがって、開口部分が、垂直方向にスクロールハウジングの内側部分に向けられた排出部分のみで構成されている場合と比較して、加湿空気の一部が詰まることなく開口部分からスムーズに排出されるという利点がある。
【０１０４】
排出部分の面積は、非排出部分の面積よりも広くてもよい。その結果、加湿空気をスムーズに排出することができる。
【０１０５】
さらに、排出グリルの一部は排出部分を覆ってもよく、排出グリルの他の部分は非排出部分を覆ってもよい。その結果、排出グリルが非排出部分を覆うため、加湿空気清浄機の外観を美観的に向上させることができる。
【０１０６】
さらに、延長プレートには、排出グリルを支持するための段付きリブが設けられているため、排出グリルをより安定に支持することができる。
【図面の簡単な説明】
【０１０７】
【図１】本発明の一実施形態による加湿空気清浄機の構成を示す斜視図である。
【図２】本発明の一実施形態による加湿空気清浄機のドアが開いた状態を示す図である。
【図３】本発明の一実施形態による加湿空気清浄機の構成を示す分解斜視図である。
【図４】本発明の一実施形態による加湿空気清浄機の一部の構成を示す分解斜視図である。
【図５】本発明の一実施形態による水容器の底面の構成を示す図である。
【図６】図１の線ＶＩ−ＶＩ’に沿った断面図である。
【図７】本発明の一実施形態による、ドアにエアフィルタと水容器が配置された状態を示す図である。
【図８】本発明の一実施形態による、ドアに配置されたフィルタが分離された状態を示す図である。
【図９】本発明の一実施形態によるドアアセンブリの斜視図である。
【図１０】本発明の一実施形態によるドアアセンブリの平面図である。
【図１１】本発明の一実施形態によるキャビネットの内側部分を示す図である。
【図１２】本発明の一実施形態による、ハウジングアセンブリとその周辺構成を示す分解斜視図である。
【図１３】本発明の一実施形態によるファンハウジングの後部斜視図である。
【図１４】本発明の一実施形態による、送風ファンおよびハウジングカバーの分解斜視図である。
【図１５】図１４の「Ａ」の拡大図である。
【図１６】本発明の一実施形態によるハウジングカバーの一部の構成を示す図である。
【図１７Ａ】本発明の実施形態による、加湿空気清浄機の延長プレートの有無による排出空気の流れを比較する実験を示すグラフである。
【図１７Ｂ】本発明の実施形態による、加湿空気清浄機の延長プレートの有無による排出空気の流れを比較する実験を示すグラフである。
【図１８】本発明の一実施形態によるインペラの斜視図である。
【図１９】本発明の一実施形態によるインペラのブレードの形状を示す図である。
【図２０Ａ】比較例として関連技術におけるインペラのブレードの形状を示す図である。
【図２０Ｂ】本発明の一実施形態によるブレードの形状を示す図である。
【図２１】関連技術におけるインペラと本発明の一実施形態によるインペラとの、風量によるノイズの変化を示すグラフである。
【図２２】本発明の一実施形態によるブレードの風量によるノイズを所定の角度ＴＨにより示すグラフである。
【図２３】本発明の一実施形態によるブレードの設定された長さＤＬにより、風量によるノイズを示すグラフである。
【図２４】本発明の一実施形態によるハウジングカバーの後部構成を示す斜視図である。
【図２５】本発明の一実施形態によるハウジングカバーに取り付けられたセンサを示す図である。
【図２６】本発明の一実施形態によるダストセンサの構成を示す図である。
【図２７】本発明の一実施形態による後部パネルを示す正面斜視図である。
【図２８】本発明の一実施形態による後部パネルの後方斜視図である。
【図２９】本発明の一実施形態による後部パネルの上面部分から排出グリルを取り外した状態を示す図である。
【図３０】本発明の一実施形態による後部パネルの一部の構成を示す拡大図である。
【図３１Ａ】本発明の一実施形態による、排出グリルのグリルガイドの傾斜による排出空気流を比較する実験を示すグラフである。
【図３１Ｂ】本発明の一実施形態による、排出グリルのグリルガイドの傾斜による排出空気流を比較する実験を示すグラフである。
【図３２】本発明の一実施形態による加湿空気清浄機内の空気の流れを示す断面図である。
【図３３】本発明の一実施形態による加湿空気清浄機の一部の構成を示す概略図である。
【図３４】本発明の一実施形態による加湿空気清浄機内の空気の流れを示す概略図である。
【図３５】本発明の別の実施形態によるハウジングカバーを示す正面図である。
【図３６】図３５に示すハウジングカバーのカットオフの拡大図である。
【図３７Ａ】比較例として関連技術におけるハウジングカバーを示す斜視図である。
【図３７Ｂ】本発明の別の実施形態によるハウジングカバーを示す斜視図である。
【図３８Ａ】比較例として関連技術におけるハウジングカバーのカットオフの概要を示す図である。
【図３８Ｂ】本発明の別の実施形態によるハウジングカバーのカットオフの概要を示す図である。
【図３９】関連技術におけるハウジングカバーに取り付けられた送風ファンと、本発明の別の実施形態によるハウジングカバーに取り付けられた送風ファンと、の風量によるノイズの変化を示すグラフである。
【図４０Ａ】比較例として関連技術におけるハウジングカバーに取り付けられた送風ファンの動作周波数によるノイズの変化を示すグラフである。
【図４０Ｂ】本発明の別の実施形態によるハウジングカバーに取り付けられた送風ファンの動作周波数によるノイズの変化を示すグラフである。
【図４１Ａ】比較例として関連技術におけるハウジングカバーのカットオフの概要を示す図である。
【図４１Ｂ】本発明の別の実施形態によるハウジングカバーの、変曲点の位置に応じたカットオフの概要を示す図である。
【図４１Ｃ】本発明の別の実施形態によるハウジングカバーの、変曲点の位置に応じたカットオフの概要を示す図である。
【図４１Ｄ】本発明の別の実施形態によるハウジングカバーの、変曲点の位置に応じたカットオフの概要を示す図である。
【図４２】図４１Ａ〜図４１Ｄに示す各ハウジングカバーに取り付けられた送風ファンの、風量によるノイズの変化を示すグラフである。
【発明を実施するための形態】
【０１０８】
次に、本開示の実施形態を詳細に参照し、その例を添付の図面に示す。
【０１０９】
以下の好ましい実施形態の詳細な説明では、本明細書の一部を形成し、本発明を実施することができる特定の好ましい実施形態を例示として示す添付図面を参照する。これらの実施形態は、当業者が本発明を実施できるように十分詳細に記載されており、また、他の実施形態を利用することができること、ならびに本発明の趣旨または範囲から逸脱することなく、論理構造的、機械的、電気的、および化学的変更を行うことができることを理解されたい。当業者が本発明を実施することを可能にするために必要ではない詳細を回避するために、説明は、当業者に知られている特定の情報を省略する場合がある。したがって、以下の詳細な説明は限定的な意味で解釈されるべきではない。
【０１１０】
また、実施形態の説明では、本発明の構成要素を説明するときに、第１、第２、Ａ、Ｂ、（ａ）、（ｂ）などの用語を本明細書で使用する場合がある。これらの各用語は、対応する構成要素の本質、順序、またはシーケンスを定義するために使用されるのではなく、対応する構成要素を他の構成要素と区別するためにのみ使用される。
【０１１１】
図１は、本発明の一実施形態による加湿空気清浄機の構成を示す斜視図であり、図２は、本発明の一実施形態による加湿空気清浄機のドアが開いた状態を示す図である。
【０１１２】
図１および図２を参照すると、本発明の一実施形態による加湿空気清浄機１０は、外観を形成するキャビネット１００と、キャビネット１００に結合され、キャビネットから選択的に引き出され、かつキャビネットに引き込まれるように構成され支持されたドアアセンブリ２００と、を含む。
【０１１３】
キャビネット１００は、複数のパネルから構成されるパネルアセンブリを含む。
【０１１４】
詳細には、複数のパネルは、下側の第１のベース１０１と、第１のベース１０１の両側に設けられ上方に延在する両方のサイドパネル１０３と、２つのサイドパネル１０３の上側に結合された上部パネル１０５と、両方のサイドパネル１０３の後側に結合された後部パネル１０７と、を含む。
【０１１５】
第１のベース１０１、２つのサイドパネル１０３、上部パネル１０５、および後部パネル１０７により、キャビネット１００は、前方に開放された直方体の形状を有することができる。
【０１１６】
複数のパネルは、木材で作られてもよい。したがって、加湿空気清浄機１０は、家具の審美的な感触を与えることができる。言い換えると、外観を向上させることができる。
【０１１７】
エアフィルタアセンブリ２８０、加湿フィルタアセンブリ３００、および送風ファン４８０（図６参照）は、キャビネット１００の内部空間に配置されてもよい。
【０１１８】
エアフィルタアセンブリ２８０および加湿フィルタアセンブリ３００は、まとめて「フィルタアセンブリ」と呼ばれる場合がある。
【０１１９】
ドアアセンブリ２００は、キャビネット１００の前側に引き出されることにより開くことができ、またはキャビネット１００の後側に向かって引き込まれることにより閉じることができる。ドアアセンブリ２００は、空気清浄機１０の前面部分を構成するドアパネル２１０を含む。ドアパネル２１０は、「フロントパネル」と呼ばれる場合がある。
【０１２０】
ドアパネル２１０は、キャビネット１００の１つの面に配置されてもよい。例えば、ドアパネル２１０は、キャビネット１００の前面開口部に配置されてもよい。したがって、ドアパネル２１０は、キャビネット１００の前面を形成してもよい。したがって、ドアパネル２１０およびキャビネット１００は、ユーザに一体感を提供することができる。
【０１２１】
ドアパネル２１０の下端部と第１のベース１０１との間には、凹部部分３０が形成され、後方に窪んだ空間を形成されてもよい。
【０１２２】
凹部部分３０には、キャビネット１００内に空気を吸い込むための吸気口２２５が形成されてもよい。
【０１２３】
キャビネット１００の上部パネル１０５には、フィルタ処理されて加湿された空気が排出される排出部分１０９が形成されている。排出部分１０９は、上部パネル１０５の後側に位置してもよい。言い換えると、排出部分１０９は、加湿空気清浄機１０の後方上部部分に位置してもよい。
【０１２４】
ドアアセンブリ２００は、ドアパネル２１０の後面から後方に延在する引き出し２２０をさらに含む。
【０１２５】
加湿空気清浄機１０の洗浄部品が引き出し２２０に取り付けられている。洗浄部品は、エアフィルタアセンブリ２８０および加湿装置を含んでもよい。加湿装置は、加湿フィルタアセンブリ３００、水槽２６０、および水容器２７０を含んでもよい。
【０１２６】
ドアアセンブリ２００を前側に引き出してキャビネット１００の前面を開くと、引き出し２２０に配置されたエアフィルタアセンブリ２８０、加湿フィルタアセンブリ３００、および水容器２７０を一緒に前方に引き出すことができる。したがって、ユーザは、エアフィルタアセンブリ２８０、加湿フィルタアセンブリ３００、および水容器２７０に容易にアクセスすることができる。
【０１２７】
引き出し２２０は、キャビネット１００に結合され、キャビネットから選択的に引き出されるか、キャビネット内に引き込まれるように構成され支持されてもよい。したがって、引き出し２２０は、「ドア」または「収容部分」と呼ばれることがある。
【０１２８】
ドアアセンブリ２００は、ドアアセンブリ２００をキャビネット１００から引き出す、またはキャビネット１００内に戻す操作をガイドするレールガイド２３０をさらに含む。レールガイド２３０は、引き出し２２０の下部部分の両側に結合されてもよい。
【０１２９】
図３は、本発明の一実施形態による加湿空気清浄機の構成を示す分解斜視図であり、図４は、本発明の一実施形態による加湿空気清浄機の一部の構成を示す分解斜視図であり、図５は、本発明の一実施形態による水容器の底面の構成を示す図であり、図６は、図１の線ＶＩ−ＶＩ’に沿った断面図である。
【０１３０】
図３〜図６を参照すると、本発明の一実施形態による加湿空気清浄機１０は、空気をフィルタ処理するためのエアフィルタアセンブリ２８０、空気を加湿するための加湿フィルタアセンブリ３００、および空気の流れを生成するための送風ファン４８０を含む。ファンモータ４８３が、送風ファン４８０に結合されている。
【０１３１】
詳細には、キャビネット１００は、空気清浄機の構成要素が配置される空間部分１１２を形成する本体フレーム１１０を含む。
【０１３２】
本体フレーム１１０は、前面、後面、上面が開放された六面体形状を有してもよい。詳細には、本体フレーム１１０の前面は開放されており、開放された前面はドアアセンブリ２００によって遮蔽され得る。さらに、本体フレーム１１０の後面は開放されており、開放された後面は、ファンハウジング４１０およびハウジングカバー４３０によって遮蔽され得る。さらに、本体フレーム１１０の上面は開放されており、開放された上面は電気ユニット４５０によって遮蔽されてもよい。
【０１３３】
２つのサイドパネル１０３は、本体フレーム１１０の両側に結合されている。上部パネル１０５は電気ユニット４５０の上側に結合され、後部パネル１０７はハウジングカバー４３０の後側に結合される。
【０１３４】
ドアアセンブリ２００は、前面の外観を形成するドアパネル２１０と、ドアパネル２１０の後側に延在する引き出し２２０と、を含む。
【０１３５】
引き出し２２０は、ドアパネル２１０の後面に結合されたドア前面２２１を含む。ドアパネル２１０およびドア前面２２１をまとめて「ドア前面部分」と呼ぶ場合がある。
【０１３６】
引き出し２２０は、ドア前面部分２２１の両側から後方に延在するドア側面部分２２２と、ドア側面部分２２２の下方に設けられたドア下面部分２２４と、ドア下面部分２２４の後側から上方に向かって延在するドア後面部分２２３（図７参照）と、を含む。水槽２６０、水容器２７０、エアフィルタアセンブリ２８０、および加湿フィルタアセンブリ３００が設置される設置空間は、ドア前面部分２２１、ドア下面部分２２４、ドア側面部分２２２、およびドア後面部分２２３によって引き出し２２０内に画定され得る。
【０１３７】
エアフィルタアセンブリ２８０は、引き出し２２０の前部部分に取り付けられてもよい。エアフィルタアセンブリ２８０は、エアフィルタケース２８１と、エアフィルタケース２８１に結合されたエアフィルタ２８５と、を含んでもよい。エアフィルタアセンブリ２８０は、上方に持ち上げられて分離されるように配置されてもよい。
【０１３８】
水容器２７０は、引き出し２２０のほぼ中央部分、すなわち、前後方向に関してエアフィルタアセンブリ２８０の後側に配置されてもよい。
【０１３９】
水容器２７０は、水槽２６０の内側に取り付けられてもよい。水容器２７０は、上方に持ち上げられて水槽２６０から分離されるように配置することができ、ユーザは、水容器２７０を分離して水を補充したり、水容器２７０を洗浄したりすることができる。
【０１４０】
水容器２７０の底面部分２７５には、水を排出するためのバルブ孔２７５ａが形成されており、バルブ孔２７５ａには、バルブ孔２７５ａを選択的に開閉するためのフロート装置２７６を取り付けることができる。フロート装置２７６は、フロート装置２７６が水槽２６０に設けられたバルブ支持体（図示せず）上に置かれたときにバルブ孔２７５ａを開き、バルブ支持体から離れたときにバルブ孔２７５ａを閉じるように動作することができる。
【０１４１】
水槽２６０は、上部部分が開放された実質的に六面体形状を有してもよい。水槽２６０の下部部分には、水容器２７０を支持するための水容器支持部分２６１が含まれる。水容器支持部分２６１は、平坦な表面を形成する。
【０１４２】
水槽２６０は、水容器支持部分２６１から下方に突出し、かつフロート装置２７６が取り付けられる空間を有するフロート収容部分２６２をさらに含む。フロート収容部分２６２は、内部が空の中空形状であってもよく、例えば、フロート収容部分２６２は、水容器支持部分２６１のほぼ中央部分に配置されてもよい。
【０１４３】
フロート収容部分２６２は、水を貯蔵する第１の貯水部分２２９ａを形成し、第１の貯水部分２２９ａに貯蔵された水位に応じてフロート装置２７６が上下方向に移動するように設けられ得る。このとき、第１の貯水部分２２９ａの水位が設定水位以上になると、フロート装置２７６が上昇して、水容器２７０のバルブ孔２７５ａを閉じることができる。
【０１４４】
水槽２６０には、フロート収容部分２６２から後方に延在して水を貯蔵する第２の貯水部分２２９ｂが形成されてもよい。第２の貯水部分２２９ｂは、第１の貯水部分と連通し、第１の貯水部分と同じ水位を形成してもよい。
【０１４５】
加湿フィルタアセンブリ３００は、第２の貯水部分２２９ｂに取り付けられてもよい。加湿フィルタアセンブリ３００は、引き出し２２０の内部空間の後部部分に収容されてもよい。加湿フィルタアセンブリ３００は、水容器２７０の後側に配置されてもよい。
【０１４６】
加湿フィルタアセンブリ３００に含まれた加湿フィルタ３３０の下部部分は、第２の貯水部分２２９に浸漬するように配置されてもよい。
【０１４７】
加湿フィルタ３３０は、実質的に円形形状であり、加湿フィルタ３３０の外側部分は、水を保持できる構造を有するリフタ３３２（図７参照）を含む。複数のリフタ３３２を設けてもよい。例えば、加湿フィルタ３３０は、「水車」の構造と同様の構造を有してもよい。
【０１４８】
加湿フィルタ３３０は回転可能に設けられている。リフタ３３２により集められた水は上方に移動し、リフタ３３２が加湿フィルタ３３０の最上端部から下降すると、重力により加湿フィルタ３３０の中央部分に水が流れる。加湿フィルタ３３０は、水を吸収しやすい布、フェルト、またはスポンジ材料で作られてもよい。
【０１４９】
リフタ３３２は、回転により水を集めることができる。したがって、リフタ３３２は、収集部分と呼ばれる場合がある。
【０１５０】
水槽２６０の内部に光を照射するための殺菌装置２６９が水槽２６０の後側に配置され、水槽２６０に貯蔵された水を殺菌することができる。例えば、殺菌装置２６９は紫外線ＬＥＤを含んでもよい。
【０１５１】
加湿フィルタアセンブリ３００は、引き出し２２０の後部部分、すなわち、水容器２７０の後側に配置されてもよい。加湿フィルタアセンブリ３００は、加湿フィルタケース３１０と、加湿フィルタケース３１０に回転可能に支持され、水槽２６０に貯蔵された水を吸収する加湿フィルタ３３０と、を含む。
【０１５２】
加湿空気清浄機１０は、キャビネット１００の内側に配置されたハウジングアセンブリ４００をさらに含む。ハウジングアセンブリ４００には、空気流を生成するための送風ファン４８０と、送風ファン４８０の前に配置されてその中に空気を吸い込むファン吸気口４１５を有するファンハウジング４１０と、ファンハウジング４１０の後側に結合されたハウジングカバー４３０と、が設けられる。
【０１５３】
送風ファン４８０は、ファンハウジング４１０とハウジングカバー４３０により画定されるファン設置空間ＳＰ（図１６参照）に取り付けられてもよい。
【０１５４】
ハウジングアセンブリ４００は、ドアアセンブリ２００の後側に配置されてもよい。
【０１５５】
送風ファン４８０は、軸方向に空気を吸い込み、半径方向に空気を排出する遠心ファンを含む。例えば、遠心ファンはシロッコファンを含んでもよい。送風ファン４８０の軸方向は、前後方向であってもよい。
【０１５６】
ファンハウジング４１０は、ファン吸気口４１５を含む（図１１を参照）。ファン吸気口４１５は、半径方向または円周方向に延在する吸気ガイドリブを含んでもよい。吸気ガイドリブにより、ユーザの手が送風ファン４８０に導入されることを防止できる。
【０１５７】
加湿空気清浄機１０は、複数の電気部品を有する電気ユニット４５０をさらに含む。電気ユニット４５０は、本体フレーム１１０の開放された上部部分を覆う電気プレート４５１をさらに含み、電気部品４５３は、電気プレート４５１の上面に取り付けられてもよい。
【０１５８】
さらに、電気ユニット４５０は、複数の電気部品４５３の少なくとも一部を遮蔽するための電気カバー４５５をさらに含んでもよい。
【０１５９】
電気プレート４５１は、ハウジングアセンブリ４００の上部部分から前方に延在してもよい。上部パネル１０５は、電気部品４５３を保護するために電気プレート４５１の上側に結合される。
【０１６０】
本体フレーム１１０の内側に、ドアアセンブリ２００を出し入れする操作をガイドするために、スライドレール２３５を設置することができる。
【０１６１】
スライドレール２３５は、本体フレーム１１０の下部部分の両側に配置されてもよい。ドアアセンブリ２００に設けられたレールガイド２３０は、スライドレール２３５に沿って前後方向にスライドすることができる。
【０１６２】
レールカバー２３６は、スライドレール２３５の外側に配置されている。レールカバー２３６により、スライドレール２３５は外部に露出されなくてもよい。
【０１６３】
言い換えると、レールカバー２３６は、スライドレール２３５が空間部分１１２に露出しないようにスライドレール２３５を覆うことができる。
【０１６４】
本体フレーム１１０は、照明装置が取り付けられる照明ブラケット１１６をさらに含む。照明ブラケット１１６は、キャビネット１００のベース１０１の上側に配置されてもよい。凹部部分３０は、ベース１０１と照明ブラケット１１６との間の空間として理解されてもよい。
【０１６５】
照明装置は、照明源を有する照明ＰＣＢ１２２と、照明ＰＣＢ１２２に結合された照明ケース１２４と、を含む。複数の照明源が提供されてもよい。
【０１６６】
照明ケース１２４は、照明ケース１２４の内部空間を複数の空間に分割するための分割リブを含み、照明源は、複数の空間にそれぞれ配置されてもよい。
【０１６７】
ベース１０１の上面には、反射プレート１２０が設けられてもよい。反射プレート１２０は、照明源から放出された光を穏やかに反射または拡散するために提供されてもよい。照明源は、反射プレート１２０の上側に配置され、反射プレート１２０に向かって下方に光を照射する。凹部部分３０は、照明源と反射プレート１２０との間に形成されてもよい。
【０１６８】
図７は、本発明の一実施形態による、ドアにエアフィルタと水容器が配置された状態を示す図であり、図８は、本発明の一実施形態による、ドアに配置されたフィルタが分離された状態を示す図であり、図９は、本発明の一実施形態によるドアアセンブリの斜視図であり、図１０は、本発明の一実施形態によるドアアセンブリの平面図であり、図１１は、本発明の一実施形態によるキャビネットの内側部分を示す図である。
【０１６９】
図７〜図１１を参照すると、本発明の実施形態によるドアアセンブリ２００は、ドアパネル２１０の後面に結合された引き出し２２０を含む。
【０１７０】
引き出し２２０は、前方に引き出され、後方に引き込まれるように設けられてもよく、引き出し形状として設けられてもよい。
【０１７１】
引き出し２２０は、エアフィルタアセンブリ２８０、加湿フィルタアセンブリ３００、水容器２７０、および水槽２６０を含んでもよい。
【０１７２】
引き出し２２０は、引き出し２２０の前面を構成するドア前面部分２２１と、引き出し２２０の底面を構成するドア下面部分２２４と、ドア下面部分２２４の両側から上方に延在するドア側面部分２２２と、ドア側面部分２２２の後側に設けられたドア後面部分２２３と、を含む。
【０１７３】
ドア下面部分２２４には、空気が吸い込まれる吸気口２２５が形成されている。吸気口２２５は、ドア前面部分２２１の後側に位置し、ドア下面部分２２４の少なくとも一部を貫通することにより形成されてもよい。加湿空気清浄機１０の外部の空気は、凹部部分３０を介して吸気口２２５に吸い込まれる。さらに、吸い込まれた空気は上方に流れることができる。
【０１７４】
ドア下面部分２２４は、エアフィルタアセンブリ２８０が着座するエアフィルタ台座部分２２６を含む。エアフィルタ台座部分２２６は、吸気口２２５の後側に配置され、エアフィルタアセンブリ２８０の底面を着座させるための平坦な表面を構成する。
【０１７５】
ドア側面部分２２２は、エアフィルタアセンブリ２８０の側面部分を支持するためのフィルタガイド２２５ａを含む。フィルタガイド２２５ａは、エアフィルタ台座部分２２６の両側から上方に延在してもよく、下部部分から上部部分に向かって斜め前方に延在してもよい。したがって、エアフィルタアセンブリ２８０は、エアフィルタ台座部分２２６に着座した状態で斜め前方および斜めに配置されるので、ユーザがエアフィルタアセンブリ２８０を上方に持ち上げ、エアフィルタアセンブリ２８０を引き出し２２０から容易に分離することができる。
【０１７６】
ドア側面部分２２２は、フィルタガイド２２５ａから左右方向に延在し、エアフィルタアセンブリ２８０の前面部分の一部を支持するフィルタ支持体２２５ｂをさらに含む。フィルタ支持体２２５ｂは、エアフィルタアセンブリ２８０が傾斜して配置された状態で前方に倒れないようにエアフィルタアセンブリ２８０を支持する「支持ジョー」として機能してもよい。
【０１７７】
フィルタ支持体２２５ｂは、フィルタガイド２２５ａの内面に対して内側に段を付けてもよい。
【０１７８】
ドア下面部分２２４は、水槽２６０が置かれる水槽台座部分２２７をさらに含む。水槽台座部分２２７は、エアフィルタ台座部分２２６よりも低い位置に配置されてもよい。
【０１７９】
ドア後面部分２２３には、殺菌装置２６９が配置される貫通孔２２８が形成されている。例えば、殺菌装置２６９は、貫通孔２２８の内側に配置されてもよいし、貫通孔２２８の後側に配置されてもよい。
【０１８０】
殺菌装置２６９から照射された光は、貫通孔２２８を介して水槽２６０に伝搬され、貯蔵された水を殺菌することができる。
【０１８１】
水容器２７０は、水槽２６０の上方に配置される。水容器２７０は、水を貯蔵する水容器本体と、水容器本体の上部に着脱可能に結合された水容器カバーと、を含む。ユーザは、水容器カバーを分離して、水容器本体内の水を補充することができる。
【０１８２】
水容器２７０が水槽２６０に配置されると、水容器２７０のフロート装置２７６が開かれ、水容器２７０に貯蔵された水が水槽２６０の貯水部分に流入する。
【０１８３】
水槽２６０には、加湿フィルタアセンブリ３００が取り付けられてもよい。加湿フィルタアセンブリ３００は、水容器２７０の後側に配置され、加湿フィルタアセンブリ３００の下部部分は、第２の貯水部分２２９に浸漬するように配置されてもよい。
【０１８４】
加湿フィルタアセンブリ３００は、シャフト支持体３１５を有する加湿フィルタケース３１０と、シャフト支持体３１５により支持された中心シャフト３３５を有する加湿フィルタ３３０と、を含む。加湿フィルタ３３０の中心シャフト３３５は、シャフト支持体３１５に支持された状態で、時計回りまたは反時計回りに回転することができる。
【０１８５】
加湿フィルタ３３０は、水槽２６０の第２の貯水部分２２９に貯蔵された水を汲み上げるためのリフタ３３２を含む。リフタ３３２から汲み上げられた水は、リフタ３３２が回転し、下方に移動するときに加湿フィルタ３３０に下方に流れるプロセスで上方に移動されてもよい。加湿フィルタ３３０内に下向きに流れる水は、加湿フィルタ３３０に浸透することができる。
【０１８６】
加湿空気清浄機１０は、駆動モータ３５３（図６参照）と、駆動モータ３５３に結合され、加湿フィルタ３３０を回転させる駆動装置として回転する駆動ギヤ３５５と、をさらに含む。駆動モータ３５３および駆動ギヤ３５５は、ファンハウジング４１０に取り付けられてもよい。
【０１８７】
加湿フィルタ３３０は、駆動ギヤ３５５と噛み合うフィルタギヤ３３８を含む。フィルタギヤ３３８は、加湿フィルタ３３０の外面に設けられており、フィルタギヤ３３８の歯は、駆動ギヤ３５５の歯と係合することができる。駆動モータ３５３が駆動されると、フィルタギヤ３３８は、駆動ギヤ３５５と噛み合うことにより時計回り方向または反時計回り方向に回転することができる。
【０１８８】
図１２は、本発明の一実施形態による、ハウジングアセンブリとその周辺構成を示す分解斜視図であり、図１３は、本発明の一実施形態によるファンハウジングの後部斜視図であり、図１４は、本発明の一実施形態による、送風ファンおよびハウジングカバーの分解斜視図である。
【０１８９】
ファンハウジング４１０は、本体フレーム１１０の後部を遮蔽するためのハウジングプレート４１１を含む。
【０１９０】
ハウジングプレート４１１は、本体フレーム１１０に結合されて、本体フレーム１１０の開放された後端部分を遮蔽する。
【０１９１】
ハウジングプレート４１１には、空気が吸い込まれるファン吸気口４１５が形成されている。ファン吸気口４１５は、半径方向または円周方向に延在する吸気ガイドリブを含んでもよい。例えば、ファン吸気口４１５は、ハウジングプレート４１１の中心に配置されてもよい。
【０１９２】
本体フレーム１１０内の空気は、ファン吸気口４１５を通ってハウジングカバー４３０に向かって流れることができる。
【０１９３】
ハウジングプレート４１１の上部部分には、複数の電気部品が取り付けられた電気プレート４５１が結合されてもよい。
【０１９４】
電気プレート４５１は、ハウジングプレート４１１と一体に形成されてもよい。例えば、電気プレート４５１およびハウジングプレート４１１は、「┐」形状に形成されてもよい。
【０１９５】
ハウジングプレート４１１は、後部でハウジングカバー４３０に結合されてもよい。ハウジングプレート４１１とハウジングカバー４３０との組み合わせは、送風ファン４８０によって強制される空気の流れ方向を導くことができる。
【０１９６】
ファンハウジング４１０は、後述するファンモータ４８３が取り付けられる取付リブ４１３をさらに含む。
【０１９７】
取付リブ４１３は、ハウジングプレート４１１の後面から後方に延在する。例えば、取付リブ４１３は、ファン吸気口４１５の中央部分に形成されてもよい。取付リブ４１３は、ファン吸気口４１５の中央部分に対して中空円筒状に形成されている。
【０１９８】
言い換えると、取付リブ４１３は、ハウジングプレート４１１の後面に円状に突出するように形成されてもよい。
【０１９９】
取付リブ４１３は、ファンモータ４８３が収容されるファンモータ設置空間４１３ａを形成することができる。送風ファン４８０のインペラ４８５は、取付リブ４１３の外側に配置されてもよい。
【０２００】
ファンハウジング４１０は、ハウジングカバー４３０の係合をガイドするための制限リブ４１７をさらに含む。制限リブ４１７は、ハウジングカバー４３０の前面がハウジングプレート４１１の後面に密着するように、空間または溝を形成してもよい。
【０２０１】
制限リブ４１７は、ハウジングカバー４３０をガイドして、ハウジングカバー４３０をファンハウジング４１０の後面の指定された位置に正確に結合できるようにする。例えば、ハウジングカバー４３０の外面４３２、４３３、４３４の前端部は、制限リブ４１７に挿入または固定されてもよい。したがって、ハウジングカバー４３０とファンハウジング４１０によって形成される内部空間に空気の流れを導くことが可能である。
【０２０２】
言い換えると、ハウジングカバー４３０の前面は、ハウジングプレート４１１の後面と密着してもよい。
【０２０３】
ファンハウジング４１０とハウジングカバー４３０との間に内部空間が形成されてもよい。内部空間には、送風ファン４８０を通過する空気の流路が形成されてもよい。
【０２０４】
制限リブ４１７は、ハウジングプレート４１１の後面から突出してもよい。制限リブ４１７は、ハウジングカバー４３０の前端部に対応するように延在してもよい。
【０２０５】
例えば、制限リブ４１７は、開いた曲線形状を有してもよい。例えば、制限リブ４１７は、ハウジングプレート４１１の後面に開いた曲線の帯状の形状で丸くすることができる。
【０２０６】
一方、送風ファン４８０は、空気を吸入および排出するためのインペラ４８５を含んでもよい。
【０２０７】
インペラ４８５は、ファンモータ４８３の回転力を受けることにより、ハウジングカバー４３０内に回転可能に取り付けられてもよい。
【０２０８】
詳細には、インペラ４８５のハブ４８６に取付孔４８７が形成されてもよい。取付孔４８７には、ファンモータ４８３の回転シャフトが接続されるロック部分４８１が設けられてもよい。したがって、インペラ４８５は、ロック部分４８１と一緒に回転することができる。もちろん、ロック部分４８１は、インペラ４８５のハブ４８６と一体に形成されてもよい。
【０２０９】
さらに、送風ファン４８０は、電力を生成するためのファンモータ４８３と、ファンモータ４８３を取付リブ４１３に取り付けるためのモータカバー４８２と、をさらに含んでもよい。
【０２１０】
ファンモータ４８３は、取付リブ４１３のファンモータ設置空間４１３ａに収容されて固定され得る。ファンモータ４８３の回転シャフトは、インペラ４８５に回転力を伝達するためにロック部分４８１に接続されている。
【０２１１】
モータカバー４８２の中央部には、ファンモータ４８３の回転シャフトが貫通し、ロック部分４８１に接続される開口部が形成されている。言い換えると、モータカバー４８２は、ファンモータ４８３とロック部分４８１との間に配置されてもよい。
【０２１２】
ハウジングカバー４３０は、カバープレート４３１と、送風ファン４８０を収容するための空間を形成するガイドプレート４３２、４３３、４３４と、を含む。
【０２１３】
カバープレート４３１は、ハウジングカバー４３０の後面として理解することができ、ガイドプレート４３２、４３３、４３４は、ハウジングカバー４３０の外面または側面として理解することができる。
【０２１４】
言い換えると、カバープレート４３１は、ハウジングカバーの後面を構成するように設けられている。
【０２１５】
ガイドプレート４３２、４３３、４３４が送風ファン４８０を通過する空気の流れ方向をガイドするので、ガイドプレート４３２、４３３、４３４をガイド壁と呼ぶことができる。
【０２１６】
カバープレート４３１は、ファンハウジング４１０の後部から離間している。
【０２１７】
ガイドプレート４３２、４３３、４３４は、カバープレート４３１の前面のファンハウジング４１０に向かって延在してもよい。したがって、カバープレート４３１とガイドプレート４３２、４３３、４３４は、送風ファン４８０が収容される空間を形成する。
【０２１８】
ガイドプレート４３２、４３３、４３４は、送風ファン４８０を通過する空気を半径方向上向きに導くように延在してもよい。
【０２１９】
詳細には、ガイドプレート４３２、４３３、４３４は、カバープレート４３１の外端部分の周囲に沿って前方に延在してもよい。例えば、ガイドプレート４３２、４３３、４３４は、カバープレート４３１の縁部に沿って垂直に延在することができる。
【０２２０】
したがって、ガイドプレート４３２、４３３、４３４は、ファンハウジング４１０の後面に接触することができる。例えば、ガイドプレート４３２、４３３、４３４の前端部は、ハウジングプレート４１１の制限リブ４１７と接触してもよく、またはそれに挿入されてもよい。
【０２２１】
その結果、ファンハウジング４１０、カバープレート４３１、およびガイドプレート４３２、４３３、４３４は、送風ファン４８０によって強制される空気の流れを導くことができる。送風ファン４８０によって強制される空気の流れは、スクロール流路を形成してもよい。
【０２２２】
したがって、ファンハウジング４１０およびハウジングカバー４３０は、まとめて「スクロールハウジング」と呼ぶことができる。言い換えると、送風ファン４８０は、スクロールハウジング４１０、４３０の内部に配置されてもよい。
【０２２３】
ファンハウジング４１０、ハウジングカバー４３０、および送風ファン４８０を含むハウジングアセンブリ４００は、「送風装置」と呼ぶことができる。
【０２２４】
ここで、ハウジングプレート４１１のファン吸気口４１５を通って送風ファン４８０に導入される空気流路を「吸気流路」と呼ぶことができる。送風ファン４８０から排出されて排出部分１０９に流れる空気流路を「排出流路」と呼ぶことができる。
【０２２５】
排出流路は、後述する第１のガイド４３２のガイドに沿って流れる第１の排出流路４３０ａと、第２のガイド４３３のガイドに沿って開口端部分４３１ａに流れる第２の排出流路４３０ｂと、によって分割される。
【０２２６】
カバープレート４３１およびガイドプレート４３２、４３３、４３４は、排出流路４３０ａ、４３０ｂに沿って流れる空気が排出部分１０９に導かれるように、その上端部に沿って開口部を画定してもよい。
【０２２７】
言い換えると、カバープレート４３１の上端部に開口端部分４３１ａが形成されてもよい。さらに、開口端部分４３１ａは、開口部を形成する縁部として理解されてもよい。排出部分１０９は、開口端部分４３１ａの上側を覆っていてもよい。
【０２２８】
したがって、送風ファン４８０から半径方向に排出された空気は、ハウジングカバー４３０の上部部分、すなわち開口端部分４３１ａに流れることができる。ハウジングカバー４３０の上部部分に流入した空気は、排出部分１０９を通って外部に排出される。
【０２２９】
ここで、開口端部分４３１ａ、第２のガイド４３３の上端部、第３のガイド４３４の上端部、およびハウジングプレート４１１の上端部によって形成される開口部は、排出ポートとして画定されてもよい。
【０２３０】
言い換えると、排出ポートは、第２の排出流路４３０ｂの下流に位置し、排出部分１０９に排出される空気を導くための開口部として理解することができる。
【０２３１】
ガイドプレート４３２、４３３、４３４は、制限リブ４１７に対応する形状で延在してもよい。例えば、ガイドプレート４３２、４３３、４３４は、カバープレート４３１の一方の上端部から他方の上端部まで丸く延在してもよい。
【０２３２】
言い換えると、ガイドプレート４３２、４３３、４３４は、制限リブ４１７に対応するほぼ開いた曲線形状を有してもよい。
【０２３３】
詳細には、ガイドプレート４３２、４３３、４３４は、第１のガイド４３２、第２のガイド４３３、および第３のガイド４３４を含んでもよい。
【０２３４】
一方、第１のガイド４３２は、送風ファン４８０から排出された空気を上方に導くので、第１のガイド４３２は「流れガイド壁」と呼ぶことができる。さらに、第２のガイド４３３は、流れガイド壁から延在しており、したがって「延長ガイド壁」と呼ぶことができる。第３のガイド４３４は、空気を排出部分１０９に向けて導くので、第３のガイド４３４を「排出ガイド壁」と呼ぶことができる。
【０２３５】
第２のガイド４３３は、カバープレート４３１の一方の側の上端部から第１の点まで下方に延在してもよい。例えば、第２のガイド４３３は、カバープレート４３１の一方の側縁部に沿って下向きに延在してもよい。
【０２３６】
ここで、第１の点はカバープレート４３１の一方の側に位置してもよい。より詳細には、第１の点は、以下で説明する基準点（Ｏ）を中心に垂直基準線Ｄから空気流方向Ｆに沿って所定の第１の角度θ（図１６参照）だけ回転した仮想延長線上に位置する点として定義することができる。例えば、第１の角度θは２７０°に設定されてもよい。
【０２３７】
第２のガイド４３３は、第１のガイド４３２の一方の側の上端部から上方に延在してもよい。言い換えると、第２のガイドは、第１の点で上方に延在してもよい。
【０２３８】
第２のガイド４３３は、一対のサイドパネル１０３のいずれか一方の近くに位置してもよい（図３参照）。例えば、第２のガイド４３３は、左サイドパネルに隣接してもよい。
【０２３９】
第１のガイド４３２は、送風ファン４８０の外周を囲むように丸く延在してもよい。
【０２４０】
詳細には、第１のガイド４３２は、第１の点から第２の点（カットオフ部分）４３５まで丸くなるように延在してもよい。
【０２４１】
第２の点は、第１の点の上方に位置してもよい。さらに、第２の点は、カットオフ部分４３５が形成される点として理解することができる。
【０２４２】
ここで、第２の点は、基準点Ｏを中心に垂直基準線Ｄから空気流方向Ｆに沿って第２の所定の角度だけ回転した仮想延長線上に位置する点として定義することができる。例えば、第２の角度は、０°〜２０°の範囲内の角度に設定されてもよい。
【０２４３】
言い換えると、第１のガイド４３２は、基準点を中心として第２のガイド４３３の下端部からカットオフ部分４３５まで弧を描く方向に延在してもよい。
【０２４４】
第３のガイド４３４は、第２のガイド４３３の反対側で第１のガイド４３２から延在することができる。
【０２４５】
第３のガイド４３４は、第１のガイド４３２の他端の上端部に形成されたカットオフ部分４３５から延在してもよい。言い換えると、第３のガイド４３４は、第２の点で上向きに第２のガイド４３３から離れるように斜めに延在してもよい。
【０２４６】
第３のガイド４３４は、一対のサイドパネル１０３の他方のサイドパネルの近くに位置してもよい（図３参照）。一例では、第３のガイド４３４は、右サイドパネルに隣接してもよい。
【０２４７】
第３のガイド４３４は、第２の点４３５からカバープレート４３１の他端の上端部まで延在してもよい。ここで、第３のガイド４３４は、第２の排出流路４３０ｂの下流に向かって斜めに延在してもよい。
【０２４８】
言い換えると、第３のガイド４３４は、第１のガイド４３２の上端部から延長プレート４３６まで延在することができ、延長プレート４３６については後述する。
【０２４９】
詳細には、第３のガイド４３４は、カットオフ部分４３５から延長プレート４３６の一方の側の端部部分まで延長されてもよい。
【０２５０】
第１のガイド４３２の後端部分４３２ａ（図１６参照）は、第３のガイド４３４の後端部分４３４ａに接続されてもよい。第１のガイド４３２の前端部分４３２ｂ（図１６参照）は、第３のガイド４３４の前端部分４３４ｂに接続されてもよい。
【０２５１】
第３のガイド４３４は、その内面が傾斜するように形成されてもよい。ここで、第３のガイド４３４の内面は、第２の排出流路４３０ｂに面する面として理解することができる。
【０２５２】
言い換えると、第３のガイド４３４の後端部分４３４ａは、第３のガイド４３４の前端部分４３４ｂの内側に位置してもよい。
【０２５３】
これにより、第３のガイド４３４の後端部分４３４ａから第３のガイド４３４の前端部分４３４ｂまでの第３のガイド４３４の内面を、傾斜面として形成することができる。
【０２５４】
一方、第３のガイド４３４の傾斜面は、第３のガイド４３４の傾斜面が延長プレート４３６に接続される点でカバープレート４３１に垂直に延在してもよい。
【０２５５】
言い換えると、第３のガイド４３４の後端部分４３４ａは、第３のガイド４３４の延在方向に沿って、第３のガイド４３４の前端部分４３４ｂよりも大きい円弧を有する。言い換えると、第３のガイドの後端部分は、第３のガイドの前端部分よりも長くてもよい（図１５参照）。
【０２５６】
延長プレート４３６は、第３のガイド４３４の上端部から横方向に延在してもよい。ここで、側面は、第２のガイド４３３から離れる方向として理解することができる。
【０２５７】
例えば、第３のガイド４３４の上端部から他方のサイドパネル（右サイドパネル１０３）までの距離は、第２のガイド４３３の上端部から一方のサイドパネル（左サイドパネル１０３）までの距離よりも大きくてもよい。
【０２５８】
さらに、第３のガイド４３４の上端部を下向きに見たときに、第３のガイド４３４の上端部と第１のガイド４３２とが互いに重なるように配置されてもよい。言い換えると、第３のガイド４３４の上端部は、第１のガイド４３２から上方に離間されてもよい。
【０２５９】
ガイドプレート４３２、４３３、４３４には、カットオフ部分４３５が形成されてもよい。
【０２６０】
カットオフ部分４３５は、第１のガイド４３２と第３のガイド４３４とが丸く接続されるように形成されてもよい。
【０２６１】
カットオフ部分４３５は、第１のガイド４３２と第３のガイド４３４とが当接する部分として、上述した第２の点を含んでもよい。
【０２６２】
カットオフ部分４３５は、第１の排出流路４３０ａと第２の排出流路４３０ｂとを区別するための基準として理解することができる。ここで、流路の区分は、説明の便宜上、任意の区分であり、物理的な区分ではない。
【０２６３】
一方、第２の排出流路４３０ｂに流入する空気の一部は、カットオフ部分４３５に衝突しながら再び第１の排出流路４３０ａに流入することができる。衝突および再流入中にノイズが発生する場合がある。
【０２６４】
この点に関して、カットオフ部分４３５に関する詳細な説明は、図１５を参照して後述する。
【０２６５】
一方、ガイドプレート４３２、４３３、４３４は、ハウジングカバー４３０の内部に形成される空気流路の断面積が上方に増加するように形成されてもよい。詳細には、排出流路４３０ａ、４３０ｂの幅Ｗは、カットオフ部分４３５から空気流方向Ｆに沿って徐々に増加してもよい。
【０２６６】
排出流路４３０ａ、４３０ｂの幅Ｗは、インペラ４８５の回転軸Ｓからガイドプレート４３２、４３３、４３４の内面までの距離として定義されてもよい。詳細には、排出流路４３０ａ、４３０ｂの幅Ｗは、インペラ４８５の半径方向におけるガイドプレート４３２、４３３と回転軸Ｓとの間の距離として定義されてもよい。
【０２６７】
言い換えると、排出流路の幅Ｗは、空気流方向Ｆに沿って、カットオフ部分４３５から開口端部分４３１ａに向かって増加してもよい。例えば、基準点Ｏを中心とする半径方向距離Ｗ１におけるカットオフ部分４３５とインペラ４８５の外面との間の距離Ｗ１は、空気流方向に沿って存在する他方の半径方向の距離Ｗ２よりも小さい。
【０２６８】
したがって、排出流路の流れ断面積は、空気流方向Ｆに沿ってカットオフ部分４３５から徐々に増加してもよい。したがって、送風ファン４８０を通過する空気の流動抵抗が減少し、上部ファン１３０から発生するノイズを減らすことができる。
【０２６９】
一方、ハウジングカバー４３０は、後部パネル１０７に結合された結合ブラケット４３８をさらに含む。
【０２７０】
結合ブラケット４３８は、ハウジングカバー４３０の両側および上部部分に設けられてもよい。言い換えると、結合ブラケット４３８は、ガイドプレート４３２、４３３、４３４の外面に設けられてもよい。
【０２７１】
結合ブラケット４３８は、結合部材が結合される締結部分４３８ａ（図２５参照）を含んでもよい。締結部材は、締結部分４３８ａを介して後部パネル１０７に結合されてもよい。
【０２７２】
一方、ハウジングカバー４３０は、複数のセンサ５００、５５０、５６０が取り付けられるセンサブラケット４４０をさらに含む。センサブラケット４４０は、ガイドプレート４３２、４３３、４３４の外面に結合されてもよい。
【０２７３】
言い換えると、センサブラケット４４０は、空気の流れ、すなわち、空気の吸込みまたは排出が行われないハウジングカバー４３０内の空間に取り付けられてもよい。例えば、センサブラケット４４０は、カットオフ部分４３５の外側方向に開口部が形成されるように、延長プレート４３６の下面と第１のガイド４３２の外面に接続されてもよい。
【０２７４】
センサブラケット４４０とガイドプレート４３２、４３４との間に貫通孔４４６が形成されてもよい。
【０２７５】
センサブラケット４４０に取り付けられた複数のセンサ５００、５５０、５６０に接続されたワイヤは、貫通孔４４６内に配置されてもよい。言い換えると、貫通孔４４６は、ワイヤコネクタと呼ばれてもよい。
【０２７６】
センサブラケット４４０は、複数のセンサ５００、５５０、５６０が取り付けられるブラケット本体４４１と、ブラケット本体４４１を支持するためのブラケット支持体４４３、４４５と、を含む。
【０２７７】
ブラケット支持体４４３、４４５は、ブラケット本体４４１をハウジングカバー４３０に支持するように結合されてもよい。例えば、ブラケット支持体４４３、４４５には、ブラケット本体４４１の上部部分をガイドプレート４３４の外面に接続するための第１の支持体４４３と、ブラケット本体４４１の下部部分をガイドプレート４３２の外面に接続するための第２の支持体４４５と、が設けられる。
【０２７８】
一方、ハウジングカバー４３０の基準点Ｏは、送風ファン４８０の中心点と同じである。したがって、基準点Ｏは、送風ファン４８０の回転軸Ｓ上に位置してもよい。ここで、回転軸Ｓは、基準点Ｏから前方に引かれた仮想水平線として理解することができる。
【０２７９】
さらに、回転軸Ｓに垂直な仮想垂直線を垂直基準線Ｄと定義する。このとき、基準点Ｏは、回転軸Ｓが垂直基準線Ｄと交わる点、すなわち垂直線の足として理解することができる。したがって、垂直基準線（Ｄ）は、基準点（Ｏ）から上方に引かれた仮想垂直線として理解することができる。
【０２８０】
その結果、ハウジングアセンブリ４００を流れる空気は、回転軸Ｓの方向に流れてもよく、垂直基準線Ｄの方向に排出されてもよい。
【０２８１】
ハウジングアセンブリ４００を通過する空気の流れを以下に詳細に説明する。送風ファン４８０に回転軸Ｓの方向に流入する空気は、ファンハウジング４１０とハウジングカバー４３０のガイドにより形成されるスクロール流路に沿って開口端部分４３１ａに流れる。
【０２８２】
上述したように、送風ファン４８０から排出されて排出部分１０９に導かれる空気流路は、  空気が第１のガイド４３２のガイドに沿って流れる第１の排出流路４３０ａと、第２のガイド４３３のガイドに沿って開口端部分４３１ａに空気が流れる第２の排出流路４３０ｂと、を含んでもよい。
【０２８３】
したがって、送風ファン４８０に流入した空気は半径方向に排出されてもよく、半径方向に排出された空気は、第１の排出流路４３０ａに沿って湾曲した形状で流れ、第２の排出流路４３０ｂに流入してもよく、第２の排出流路４３０ｂに流入した空気は、垂直基準線Ｄの方向に沿って上方に流れ、開口端部分４３１ａの上方に位置する排出部分１０９を通過して外部に排出されてもよい。
【０２８４】
図１５は、図１４Ａの拡大図である。
【０２８５】
図１５を参照すると、カットオフ部分４３５は、第１のガイド４３２の後端部分４３２ａと第３のガイド４３４の後端部分４３４ａが接続される後端部接触点４３５ａから、第１のガイドの前端部分４３２ｂと第３のガイドの前端部分４３４ｂが接続される前端部接触点４３５ｂまで、延在するように形成されてもよい。
【０２８６】
第３のガイド４３４の後端部分４３４ａは、第３のガイド４３４の前端部分４３４ｂの内側に位置してもよい。したがって、後端部接触点４３５ａは、前端部接触点４３５ｂよりもさらに内側に位置してもよい。
【０２８７】
ここで、後端部接触点４３５ａを通る接線ＤＭおよび前端部接触点４３５ｂを通る接線ＤＰは、垂直基準線Ｄに平行であってもよい。
【０２８８】
カットオフ部分４３５の後端部接触点４３５ａから前端部接触点４３５ｂまで延在するカットオフ部分４３５の内面は、湾曲していてもよい。例えば、カットオフ部分４３５の内面は、窪んだ表面と突出した表面とが垂直方向および／または前後方向に繰り返されるように設けられた曲面を形成してもよい。
【０２８９】
したがって、カットオフ部分４３５に衝突する空気の流動抵抗を低減することができる。
【０２９０】
言い換えると、カットオフ部分４３５の内面は、凸状部分と凹状部分（点線）を形成することができる。
【０２９１】
言い換えると、カットオフ部分４３５の内面は、送風ファン４８０の回転軸Ｓの方向に凸状部分と凹状部分（点線）とによって３次元で形成されてもよい。
【０２９２】
具体的には、カットオフ部分４３５の内面は、後端部接触点４３５ａからカットオフ中心点Ｏ’まで内側に突出するように形成された凸状部分と、カットオフ中心点Ｏ’から前端部接触点４３５ｂまで外側に窪むように形成された凹状部分と、を含んでもよい。
【０２９３】
ここで、カットオフ中心点Ｏ’は、後端部接触点４３５ａと前端部接触点４３５ｂとの間の中心点として定義されてもよい。したがって、カットオフ中心点Ｏ’は変曲点Ｏ’として理解することができる。
【０２９４】
言い換えると、カットオフ部分４３５は、弧状の内面を形成してもよい。
【０２９５】
上述したように、第２の排出流路４３０ｂに流入した空気の一部は、カットオフ部分４３５に衝突しながら再び第１の排出流路４３０ａに流入してもよい。衝突と再流入のプロセスにより、ノイズが発生する場合がある。
【０２９６】
言い換えると、カットオフ部分４３５は、ハウジングカバー４３０内部の空気流の排出と再吸込みとの間の境界として理解することができる。
【０２９７】
実験の結果、カットオフ部分４３５に衝突する空気の流れ分布は、送風ファン４８０の回転軸方向Ｓに沿って直線的に増加しない。したがって、カットオフ部分４３５では、流体（空気）の衝突による圧力差または圧力集中により内部流れノイズ（ＢＰＦ）が発生する場合がある。
【０２９８】
本発明の一実施形態によれば、カットオフ部分４３５内の流体（空気）の衝突を緩和するために凸状部分と凹状部分が形成されたカットオフ部分４３５の内面が提案される。これにより、内部流れノイズ（ＢＰＦ）を低減することができる。
【０２９９】
一方、第３のガイド４３４は、カットオフ部分４３５から空気の排出方向に延在してもよい。同時に、カバープレート４３１に対する第３のガイド４３４の傾斜角度が空気の排出方向に変化するように、第３のガイド４３４を延長することができる。
【０３００】
詳細には、第３のガイド４３４は、カバープレート４３１に対する第３のガイド４３４の傾斜角が、後端部接触点４３５ａ、変曲点Ｏ’、および前端部接触点４３５ｂを接続するカットオフ部分４３５から、排出方向に沿って徐々に垂直に近づくように形成されてもよい。言い換えると、第３のガイド４３４は、３次元形状を形成してもよい。
【０３０１】
ここで、カバープレート４３１と第３のガイド４３４との間の傾斜角が鋭角をなす場合、傾斜角の変化は徐々に大きくなって垂直になるように変化してもよく、その間の傾斜角が鈍角を形成するときに徐々に減少して垂直になるように変化してもよい。したがって、第３のガイド４３４の端部は、カバープレート４３１に垂直であってもよい。
【０３０２】
したがって、第３のガイド４３４に沿って開口端部分４３１ａに向かって流れる空気は、第３のガイド４３４の内面、すなわち傾斜面に沿って流れる。したがって、流動抵抗は比較的小さく、流れ断面積は流れ方向に沿って増加する。その結果、内部流れノイズを低減することができる。
【０３０３】
図１６は、本発明の一実施形態によるハウジングカバーの一部の構成を示す図である。詳細には、図１６は、延長プレート４３６をより簡単に示すために、上述のセンサブラケット４４０を省略した図である。
【０３０４】
図１６を参照すると、第２のガイド４３３は切断部分４３３ａを含んでもよい。
【０３０５】
切断部分４３３ａは、第２のガイド４３３の上部部分が上端部に向かって後方に傾斜するように形成されてもよい。さらに、切断部分４３３ａの幅は、上端部に向かって増加してもよい。
【０３０６】
切断部分４３３ａには、ファンハウジング４１０との結合をガイドするための孔が形成されてもよい。孔は、ハウジングプレート４１１に取り付けられてもよい。
【０３０７】
ハウジングカバー４３０は、第３のガイド４３４から延在する延長プレート４３６をさらに含む。
【０３０８】
延長プレート４３６は、排出部分１０９および排出グリル１７０の下方に位置してもよい。
【０３０９】
延長プレート４３６は、カバープレート４３１の上端部に沿って、第３のガイド４３４の上端部から横方向に延在してもよい。
【０３１０】
言い換えると、延長プレート４３６は、第３のガイド４３４から屈曲され、ハウジングカバー４３０の上端部に沿って延在してもよい。例えば、延長プレート４３６は、第３のガイド４３４から屈曲され、カバープレート４３１の側端部まで延在してもよい。
【０３１１】
延長プレート４３６および第３のガイド４３４は、ハウジングカバー４３０の内側に屈曲されてもよい。
【０３１２】
さらに、延長プレート４３６は、後述する排出グリル１７０（図２７参照）が着座するように段差を形成する段付きリブ４３６ａを含んでもよい。排出グリル１７０は、段付きリブ４３６ａを介して、後述するグリル設置溝１０７ｆ（図２７参照）と共に支持され得る。
【０３１３】
延長プレート４３６は、カバープレート４３１の上端部に沿って所定の長さＬだけ延在してもよい。例えば、所定の長さＬは約７５ｍｍに設定されてもよい。
【０３１４】
別の態様では、延長プレート４３６は、カバープレート４３１の上端部から垂直に延在してもよい。言い換えると、延長プレート４３６は、カバープレート４３１から所定の長さＬだけ前方に延在してもよい。
【０３１５】
延長プレート４３６は、第２の排出流路４３０ｂの下流に位置してもよい。言い換えると、延長プレート４３６は、排出ポートの横に位置してもよい。
【０３１６】
これにより、延長プレート４３６が形成されていない場合と比較して、排出部分１０９を通って排出される空気の流れ方向を比較的上向きに導くことができる。
【０３１７】
説明の便宜上、第３のガイド４３４がカットオフ部分４３５からカバープレート４３１（点線）の上端部まで直接延在する場合を想定する。
【０３１８】
上記の仮定において、仮想的な第３のガイドＶおよびカバープレート４３１は、延長プレート４３６および第３のガイド４３４によって形成される凹状空間が第２の排出流路４３０ｂに含まれるように延長することができる。
【０３１９】
言い換えると、排出ポートは、カバープレート４３１の両側端部まで延在することができる。したがって、それに比例して流れ断面積も拡大することができる。
【０３２０】
仮想的な第３のガイドＶの延在方向は、垂直基準線Ｄに対して、第３のガイド４３４の延在方向よりも大きい角度を有してもよい。
【０３２１】
したがって、仮想的な第３のガイドＶのガイドに従って排出部分１０９を通過する空気は、第３のガイド４３４のガイドに従って排出部分１０９を通過する空気から横方向に偏った排出空気の流れを形成することができる。
【０３２２】
図１７Ａおよび図１７Ｂは、本発明の実施形態による、加湿空気清浄機の延長プレートの有無による排出空気の流れを比較する実験を示すグラフである。
【０３２３】
図１７Ａは、仮想的な第３のガイドＶを備えた加湿空気清浄機の排出部分１０９から排出される空気の流れ（圧力）分布を示す実験グラフである。図１７Ｂは、第３のガイド４３４および延長プレート４３６を備えた加湿空気清浄機の排出部分１０９から排出される空気の流れ分布を示す実験グラフである。
【０３２４】
図１７Ａおよび図１７Ｂを参照すると、ベッドに横たわっている人と、ベッドの近くに配置された加湿空気清浄機から排出される空気の流れ（圧力）の分布を確認することができる。このとき、加湿空気清浄機の排出部分１０９の高さは、人の人工呼吸器が位置する頭部の高さと同じ位置に設定される。
【０３２５】
図１７Ａを参照すると、仮想的な第３のガイドＶが設けられた加湿空気清浄機の排出部分１０９を通って排出された空気は、人が位置する一方の側に向かって相対的に偏った状態で排出される。したがって、排出空気は、人間の頭部に直接触れる空気流を形成することができる。
【０３２６】
図１７Ｂを参照すると、第３のガイド４３４および延長プレート４３６を備えた加湿空気清浄機の排出部分１０９を通って排出された空気は、直接頭部に到達せず、比較的上方に集中する空気流を形成することができる。
【０３２７】
図１７Ｂの実験では、延長プレート４３６の所定の長さＬは７５ｍｍに設定されている。
【０３２８】
言い換えると、延長プレート４３６は、排出部分１０９から排出された空気を相対的に上方に集中させることができる。
【０３２９】
本発明の実施形態による加湿空気清浄機１０は、本棚やテーブルなどの家具として使用される家庭用の加湿空気清浄機である。したがって、一般に屋内空間に配置される家具に類似したレイアウトの実施形態を想定することが可能である。
【０３３０】
例えば、ユーザにとってより快適な睡眠環境を作り出すために、ユーザは加湿空気清浄機をベッドの近くに置く場合がある。この場合、本棚やテーブルなどの機能を提供するように形成された家庭用加湿空気清浄機の空気排出部分の位置は、一般にベッドに横たわっている大人の人工呼吸器の比較的近くに配置することができる。
【０３３１】
したがって、ベッドの近くに配置された加湿空気清浄機から排出された空気は、ユーザに直接到達する場合がある。したがって、ユーザは不快に感じたり、衛生的に危険だったりする場合がある。
【０３３２】
一方、本発明の実施形態による加湿空気清浄機１０は、延長プレート４３６に沿った空気の排出方向を上方に集中させるようにガイドすることができる。したがって、上記の使用環境において、排出された空気がユーザに直接到達することを防ぐことができる。
【０３３３】
最後に、加湿空気清浄機１０によれば、ユーザの利便性を向上させることができ、製品の配置の自由度を高めることができる。
【０３３４】
図１８は、本発明の一実施形態によるインペラの斜視図である。
【０３３５】
インペラ４８５は、ほぼ円筒形状を有してもよい。詳細には、インペラ４８５は、複数のブレード４８８、複数のブレード４８８が結合されるメインプレート４９０、およびメインプレート４９０の中央部分に設けられ前方に突出するハブ４８６を含んでもよい。
【０３３６】
上述したように、ハブ４８６には、ファンモータ４８３の回転シャフトが接続される回転シャフト接続部分４８１（図１４参照）が設けられてもよい。複数のブレード４８８は、メインプレート４９０の円周方向に互いに離間されてもよい。
【０３３７】
インペラ４８５は、複数のブレード４８８の前部部分に設けられた固定部分４９２をさらに含む。固定部分４９２は、複数のブレード４８８を固定する機能を果たす。複数のブレード４８８の後端部分はメインプレート４９０に結合され、ブレード４８８の前端部分は固定部分４９２に結合され得る。
【０３３８】
ファンモータ４８３は、インペラ４８５のハブ４８６の前に配置されている。ファンモータ４８３は、ファンハウジング４１０の取付リブ４１３に取り付けられてもよい。
【０３３９】
モータカバー４８２およびロック部分４８１は、ファンモータ４８３の背後に配置されてもよい。モータカバー４８２は、ファンモータ４８３をファンハウジング４１０の取付リブ４１３に取り付け／固定することができる。ロック部分４８１は、ファンモータ４８３の回転シャフトに結合されてハブ４８６に配置され、ファンモータ４８３の回転動力がインペラ４８５に伝達されるようになっている。
【０３４０】
図１９は、本発明の一実施形態によるインペラのブレードの形状を示す図である。
【０３４１】
本発明の一実施形態によるブレード４８８は、一方向に湾曲した翼形形状を有してもよい。
【０３４２】
詳細には、ブレード４８８の翼弦Ｃの少なくとも一部は、ブレード４８８の外側に位置し、正圧面６０１に面するように形成することができる。この場合、ブレードの翼弦Ｃは、前縁６０３と後縁６０４を結ぶ仮想直線を意味する。
【０３４３】
さらに、ブレード４８８の正圧面６０１は凹状であってもよく、負圧面６０２は凸状であってもよい。
【０３４４】
インペラ４８５は、ブレード４８８の正圧面６０１が空気圧を受ける方向に回転することができる。ファン吸気口４１５（図６参照）を通ってインペラ４８５に吸い込まれた空気は、前縁６０３に当たり、正圧面６０１と負圧面６０２の表面に沿って流れ、空気の流れは後縁６０４で分離され得る。
【０３４５】
ブレード４８８は、所定のリーディング半径Ｒを有するように形成されてもよい。
【０３４６】
以下、本発明のブレード４８８の形状を詳細に説明するために、まず、構造の基準となる仮想点、仮想線などを定義する。
【０３４７】
平均キャンバ線６５６は、正圧面６０１および負圧面６０２に内接する仮想円の中心を結ぶ仮想線を意味してもよい。
【０３４８】
キャンバは、平均キャンバ線６５６と翼弦Ｃとの間の距離を意味し、キャンバの最大値は最大キャンバＭと呼ぶことができる。さらに、前縁６０３と平均キャンバ線６５６で最大キャンバＭを有する点６５５との間の距離は、最大キャンバ位置ＭＬと呼ぶことができる。
【０３４９】
平均キャンバ線６５６の最大キャンバ位置ＭＬに対応する点６５５を中心とし、正圧面６０１および負圧面６０２に内接する仮想円６５４を構築することができる。この場合、仮想円６５４と負圧面６０２との間の接触点は、最大キャンバ点６５８と呼ばれてもよい。言い換えると、最大キャンバ点６５８は、負圧面６０２のうちの最大キャンバ位置ＭＬに対応する点を意味してもよい。
【０３５０】
負圧面６０２は、最大キャンバ点６５８と前縁６０３との間に位置する第１の線形面６０６および第２の線形面６０７を含んでもよい。
【０３５１】
第１の線形面６０６および第２の線形面６０７は平坦に形成されているため、第１の線形面６０６および第２の線形面６０７に関する上記の定義に従ってキャンバ線を決定することは困難であり得る。
【０３５２】
したがって、前縁６０３を平均キャンバ線６５６の最大キャンバ位置ＭＬに対応する点６５５と接続する仮想線６５７を構築することができる。仮想線６５７は、正圧面６０１から所定の距離を維持することができ、仮想線６５７と正圧面６０１との間の距離ｄは、仮想円６５４の半径ｄと同じとすることができる。
【０３５３】
仮想線６５７は、負圧面６０２に第１の線形面６０６および第２の線形面６０７を含まずに、その代わりに、前縁６０３と最大キャンバ点６５８とを流線的に互いに接続する曲面を含むと仮定した場合のブレードの平均キャンバ線を意味することができる。
【０３５４】
言い換えると、仮想線６５７は、仮想平均キャンバ線と呼ぶことができる。
【０３５５】
基準点６０５Ａは、負圧面６０２に位置してもよい。
【０３５６】
詳細には、基準点６０５Ａは、負圧面に沿って最大キャンバ点６５８と前縁６０３との間に位置してもよい。基準点６０５Ａは、負圧面６０２から正圧面６０１までの距離が最大になる点を意味してもよい。
【０３５７】
言い換えると、負圧面６０２から正圧面６０１までの距離ｔは、基準点で最大化することができる。距離は、負圧面６０２の一点から正圧面６０１までの最小距離ｔであってもよく、ブレード４８８の厚さを意味してもよい。
【０３５８】
正圧面６０１と負圧面６０２との間の距離ｔは、前縁６０３から基準点６０５Ａまで増加し、基準点６０５Ａから後縁６０４まで減少することができる。
【０３５９】
前縁６０３で仮想線６５７に接触する第１の仮想直線６５１を構築することができる。
【０３６０】
詳細には、１つの点における接線のうち仮想線６５７上の１つの点が前縁６０３に可能な限り近い場合の接線は、第１の仮想直線６５１とすることができる。さらに、前縁６０３と基準点６０５Ａとを接続する第２の仮想直線６５２を構築することができる。
【０３６１】
第１の仮想直線６５１と第２の仮想直線６５２とがなす角度を所定角度ＴＨと呼ぶことができ、所定角度ＴＨは鋭角であってもよい。より具体的には、所定角度ＴＨは、７．５度〜２３度であってもよい。
【０３６２】
第１の仮想直線６５１に平行な方向における前縁６０３と基準点６０５Ａとの間の距離ＤＬは、所定距離ＤＬと呼ぶことができ、所定距離ＤＬは、ブレード４８８の最大キャンバ位置ＭＬよりも短くてもよい。
【０３６３】
さらに、所定距離ＤＬは、ブレード４８８の翼弦長ＣＬの０．２１倍〜０．２７倍であってもよい。
【０３６４】
基準点６０５Ａの正確な位置は、所定角度ＴＨおよび所定距離ＤＬによって決定することができる。
【０３６５】
以下、ブレード４８８の負圧面６０２についてより詳細に説明する。
【０３６６】
本発明の実施形態によるブレード４８８の負圧面６０２は、第１の線形面６０６および第２の線形面６０７を含んでもよい。
【０３６７】
第１の線形面６０６は、基準点６０５Ａと前縁６０３との間に位置してもよく、第２の線形面６０７は、基準点６０５Ａと最大キャンバ点６５８との間に位置してもよい。
【０３６８】
第１の線形面６０６および第２の線形面６０７は、それぞれ平坦に形成されてもよく、互いに斜めに形成されてもよい。第１の線形面６０６と第２の線形面６０７との間の角度は、鈍角であってもよい。
【０３６９】
第１の線形面６０６と正圧面６０１との間の距離は、前縁６０３から基準点６０５Ａに向かって離れることができ、第２の線形面６０７と正圧面６０１との間の距離は、最大キャンバ点６５８に向かって基準点６０５Ａにより近くてもよい。
【０３７０】
負圧面６０２は、第１の線形面６０６と第２の線形面６０７とを接続する接続曲面６０５をさらに含んでもよい。
【０３７１】
この場合、基準点６０５Ａは、接続曲面６０５の変曲点に対応してもよい。しかし、本発明はこれに限定されず、第１の線形面６０６と第２の線形面６０７とが互いに直接接続され、接続曲面６０５が負圧面６０２に含まれないことも可能である。この場合、基準点６０５Ａは、第１の線形面６０６と第２の線形面６０７との間の接続点を意味してもよい。
【０３７２】
負圧面６０２は、流れ曲面６０８をさらに含んでもよい。流れ曲面６０８は、第２の線形面６０７と後縁６０４とを接続してもよく、少なくとも一部が最大キャンバ点６５８と後縁６０４との間に配置されてもよい。
【０３７３】
第１の線形面６０６および第２の線形面６０７によって形成される形状は、垂下形状またはドルフィンヘッド形状と呼ぶことができる。
【０３７４】
図２０Ａは、比較例として関連技術におけるインペラのブレードの形状を示す図であり、図２０Ｂは、本発明の一実施形態によるブレードの形状を示す図であり、図２１は、関連技術におけるインペラと本発明の一実施形態によるインペラとの、風量によるノイズの変化を示すグラフである。
【０３７５】
本発明の実施形態によるブレード４８８と関連技術のブレード４８８’は、同じ翼弦長ＣＬおよび最大キャンバＭを有してもよく、最大キャンバ位置ＭＬも同じであってもよい。
【０３７６】
さらに、本発明の実施形態によるブレード４８８の正圧面６０１は、関連技術のブレード４８８’の正圧面６０１’と同一または類似であってもよい。さらに、本発明の実施形態によるブレード４８８の流れ曲面６０８は、関連技術のブレード４８８’の負圧面６０２’に対応する部分と同じであってもよい。
【０３７７】
しかし、従来のブレード４８８’の負圧面６０２’と本発明の実施形態によるブレード４８８の負圧面６０２の形状は、関連技術のブレード４８８’の負圧面６０２’が全体として流線形の曲面に形成されているが、本発明の実施形態によるブレード４８８の負圧面６０２は、第１の線形面６０６および第２の線形面６０７を含むという点で、互いに異なっていてもよい。
【０３７８】
関連技術のブレード４８８’の形状を有するインペラと、本発明の実施形態によるブレード４８８を有するインペラ４８５とを動作させて、それぞれのノイズを比較した。実験用インペラには３７枚のブレードがあり、直径２７０ｍｍ、高さ８８ｍｍである。さらに、各ブレードは６８．２度の入口角と１６２度の出口角に設定された。
【０３７９】
図２１を参照すると、本発明の実施形態によるブレード４８８を有するインペラｂのノイズは、関連技術のブレード４８８’を有するインペラａのノイズよりも小さいことが分かる。より具体的には、風量が３．２ＣＭＭの場合、ノイズは１．３ｄＢ低減され、風量が５．３ＣＭＭの場合、ノイズは１．１ｄＢ低減される。
【０３８０】
本発明の実施形態によるブレード４８８を有するインペラｂのノイズは、いずれの風量においても、関連技術のブレード４８８’を有するインペラａのノイズよりも小さいことが確認できる。言い換えると、本発明の実施形態によるブレード４８８は、特定の風量条件下でのみノイズを低減する効果があるだけでなく、全風量に対してもノイズを低減する効果を有する。
【０３８１】
図２２は、本発明の一実施形態によるブレードの風量によるノイズを所定角度ＴＨにより示すグラフである。
【０３８２】
所定角度ＴＨにより風量に応じたノイズを試験したブレードの所定距離ＤＬ（図１９参照）は、翼弦長ＣＬ（図１９参照）の０．２１倍に設定された。
【０３８３】
図２２を参照すると、本発明の実施形態によるブレード４８８の所定角度ＴＨが７．５度、１３度、２３度であるすべての場合において、関連技術のブレード４８８’を有するインペラと比較して、ノイズが低減される。
【０３８４】
所定角度ＴＨが７．５度未満または２３度を超える場合には、関連技術のブレード４８８’を有するインペラよりもノイズ低減効果が小さく、所定角度ＴＨが１３度のときにノイズ低減効果が最大であった。
【０３８５】
より具体的には、５．３ＣＭＭの空気量に基づいて、所定角度ＴＨが１３度の場合に３８．１ｄＢのノイズが測定され、所定角度ＴＨが７．５度の場合に３８．８４ｄＢのノイズが測定され、所定角度ＴＨが２３度の場合に３８．６３ｄＢのノイズが測定された。
【０３８６】
したがって、ブレード４８８の所定角度ＴＨは、７．５度〜２３度、好ましくは１３度とすることができる。
【０３８７】
図２３は、本発明の一実施形態によるブレードの設定された長さＤＬにより、風量によるノイズを示すグラフである。
【０３８８】
所定距離ＤＬにより風量に応じたノイズを試験したブレードの所定角度ＴＨ（図１９参照）は、１３度に設定された。
【０３８９】
図２３を参照すると、本発明の実施形態によるブレード４８８の所定距離ＤＬが、翼弦長ＣＬの０．２１倍および翼弦長ＣＬの０．２７倍であるすべての場合において、関連技術のブレード４８８’を有するインペラと比較してノイズが低減されていることが確認できる。
【０３９０】
所定距離ＤＬが翼弦長ＣＬの０．２１倍よりも短い場合、または翼弦長ＣＬの０．２７倍よりも長い場合には、関連技術のブレード４８８’を有するインペラよりもノイズ低減効果が小さく、所定距離ＤＬが翼弦長ＣＬの０．２１倍であるときにノイズ低減効果が最大であることが確認された。
【０３９１】
より具体的には、風量５．３ＣＭＭに基づいて、所定距離ＤＬが翼弦長ＣＬの０．２１倍である場合に３８．１ｄＢのノイズが測定され、所定距離ＤＬが翼弦長ＣＬの０．２７倍である場合に３８．９３ｄＢのノイズが測定された。
【０３９２】
したがって、ブレード４８８の所定距離ＤＬは、翼弦長ＣＬの０．２１倍〜０．２７倍とすることができ、好ましくは、翼弦長ＣＬの０．２１倍である。
【０３９３】
図２４は、本発明の一実施形態によるハウジングカバーの後部構成を示す斜視図である。
【０３９４】
上述のように、ハウジングカバー４３０は、複数のセンサ５００、５５０、５６０（図２５参照）が取り付けられるセンサブラケット４４０をさらに含んでもよい。センサブラケット４４０は、ガイドプレート４３２、４３３、４３４の外面に接続されてもよい。
【０３９５】
センサブラケット４４０は、ハウジングカバー４３０内の空気の流れ、すなわち、空気の吸込みまたは排出がうまく行われない空間に取り付けられてもよい。
【０３９６】
具体的には、センサブラケット４４０は、ハウジングカバー４３０内の空気排出流路として機能しない空き空間に取り付けられてもよい。
【０３９７】
詳細には、センサブラケット４４０は、複数のセンサ５００、５５０、５６０が設置されるブラケット本体４４１と、ブラケット本体４４１を支持するブラケット支持体４４３、４４５と、を含むことができる。
【０３９８】
ブラケット本体４４１は、実質的に六面体形状を有してもよい。ブラケット本体４４１は、ガイドプレート４３２、４３３、４３４の側面に位置してもよい。
【０３９９】
具体的には、ブラケット本体４４１は、第３のガイド４３４と第１のガイド４３２との間のカットオフ部分４３５の側面に位置してもよい。
【０４００】
ブラケット本体４４１の後面には、複数のセンサ５００、５５０、５６０が取り付けられるセンサ設置空間４４１ａが設けられてもよい。センサ設置空間４４１ａは、ブラケット本体４４１の後面から前方に窪んだ空間として理解することができる。センサ設置空間４４１ａは、複数のセンサを支持するための複数の支持リブ４４１ｂと、センサを締結部材で締結するためのセンサ締結部分４４１ｃと、を含んでもよい。
【０４０１】
支持リブ４４１ｂは、複数のセンサを支持し、複数のセンサの設置位置を分割することができる。締結部材は、センサ締結部分４４１ｃに結合され、複数のセンサは、結合部材を介してセンサブラケット４４０に結合することができる。
【０４０２】
このような構成により、複数のセンサをセンサ設置空間４４１ａに安定して固定することができる。センサ設置空間４４１ａに設置されたセンサは、ハウジングカバー４３０の後側に結合された後部パネル１０７によって遮蔽されてもよい。
【０４０３】
ブラケット支持体４４３、４４５は、ハウジングカバー４３０上のブラケット本体４４１を支持してもよい。例えば、ブラケット支持体４４３、４４５は、ブラケット本体４４１の上部部分をガイドプレート４３２、４３３、４３４の外面に接続するための第１の支持体４４３と、ガイドプレート４３２、４３３、４３４の外面に接続された第２の支持体４４５と、を含む。
【０４０４】
例えば、第１の支持体４４３は、第３のガイド４３４および延長プレート４３６の少なくとも一方に接続され、第２の支持体４４５は、第１のガイド４３２に接続される。
【０４０５】
さらに、センサブラケット４４０とガイドプレート４３２、４３３、４３４との間に貫通孔４４６が形成されてもよい。貫通孔４４６には、複数のセンサに電気的に接続されたワイヤ（電線）が貫通するように配置されてもよい。
【０４０６】
一方、センサブラケット４４０の後面、具体的には第１の支持体４４３の後面には、後述するセンサ充電装置が取り付けられてもよい。そのために、第１の支持体４４３の後面には、センサ充電装置を締結部材で締結するための充電装置締結部分４４３ａが設けられている。
【０４０７】
図２５は、本発明の一実施形態によるハウジングカバーに取り付けられたセンサを示す図であり、図２６は、本発明の一実施形態によるダストセンサの構成を示す図であり、図２７は、本発明の一実施形態による後部パネルを示す正面斜視図であり、図２８は、本発明の一実施形態による後部パネルの後方斜視図であり、図２９は、本発明の一実施形態による後部パネルの上面部分から排出グリルを取り外した状態を示す図である。
【０４０８】
図２５〜図２９を参照すると、加湿空気清浄機１０は、ハウジングカバー４３０に取り付けられた複数のセンサ５００、５５０、５６０をさらに含む。複数のセンサ５００、５５０、５６０は、室内空気に含まれる異物により室内空間の環境情報を取得するための構成として理解することができる。
【０４０９】
複数のセンサ５００、５５０、５６０は、室内空気に含まれるダストの量を検出するダストセンサ５００を含んでもよい。ダストセンサ５００は、ハウジングカバー４３０の側面に取り付けられてもよい。
【０４１０】
詳細には、ダストセンサ５００は、センサブラケット４４０の後面に設けられたセンサ設置空間４４１ａに取り付けられ、ハウジングカバー４３０の後側に結合された後部パネル１０７を通じて室内空気に含まれるダストの量を検出することができる。このとき、後部パネル１０７は、ダストセンサ５００が外部に露出しないようにダストセンサ５００を覆っている。
【０４１１】
より具体的には、ダストセンサ５００は、空気中のダストの量を実質的に検出する構成要素を有する本体５１０を含む。
【０４１２】
本体５１０は、端子部分５１５と、センサ基板５１１に結合され、内部にヒータ５１７および光送受信部分５１８、５１９を有するセンサケース５１２を有するセンサ基板５１１を含んでもよい。
【０４１３】
端子部分５１５は、電線または電線が接続される所定のコネクタが接続可能である構成として理解することができる。
【０４１４】
センサ基板５１１は、端子部分５１５およびセンサケース５１２が取り付けられる空間を有する。センサ基板５１１は、実質的に長方形のプレート状に形成され、センサ設置空間４４１ａに着座され得る。
【０４１５】
センサケース５１２には、ダストの量を検出できる空気の流路、すなわちセンサ流路５１２ａが含まれてもよい。
【０４１６】
さらに、センサケース５１２は、後述するセンサ結合部分５２０から吸い込まれた空気が流入するセンサ吸気口５１３をさらに含む。センサ吸気口５１３は、センサケース５１２の下に配置され、センサケース５１２の後面を通過するように構成されてもよい。
【０４１７】
ヒータ５１７は、センサ吸気口５１３の片側に配置されてもよい。ヒータ５１７は、センサ吸気口５１３の周囲空気温度を上昇させるように機能する。ヒータ５１７が駆動されると、センサ吸気口５１３の周囲の空気の温度が上昇してその密度が低下し、それに応じてその圧力が低下する。
【０４１８】
さらに、センサ流路５１２ａには、空気を排出するためのセンサ排出部分５１４が形成されてもよい。センサ排出部分５１４は、センサケース５１２の後面を貫通するように構成されてもよい。言い換えると、センサ排出部分５１４は、センサ吸気部分５１３の上方に配置されている。
【０４１９】
さらに、光送信部分５１８および光受信部分５１９は、センサ流路５１２ａの両側に配置されてもよい。光送信部分５１８および光受信部分５１９は、センサ流路５１２ａの片側に配置され、光を放出する光送信部分５１８を含む。例えば、光送信部分５１８は、発光ダイオード（ＬＥＤ）を含んでもよい。
【０４２０】
さらに、光送受信部分５１８、５１９は、センサ流路５１２ａの反対側に配置されており、光送信部分５１８から発せられた光Ｅ１がセンサ流路５１２ａを流れる空気Ｐ１に作用すると、空気に含まれるダストによって散乱された光Ｅ２の感度を測定するための光受信部分５１９が含まれる。例えば、光受信部分５１９は、フォトダイオード検出器を含んでもよい。空気に含まれるダストの量が多いほど、光受信部分５１９が受信する光の感度が低くなり、出力電圧値が高くなる。言い換えると、光の感度と出力電圧値は反比例し得る。
【０４２１】
さらに、センサケース５１２は、ダストセンサ５００をクリーニングするためにユーザがアクセス可能なクリーニング孔５１６を含む。クリーニング孔５１６は、センサケース５１２の背面の少なくとも一部を開口することにより形成される。センサ結合部分５２０の貫通孔５２１は、クリーニング孔５１６の後方に配置され、貫通孔５２１の後部は、後述するセンサカバー５３０によって覆われてもよい。言い換えると、クリーニング孔５１６と貫通孔５２１とは互いに連通するように構成される。
【０４２２】
さらに、ダストセンサ５００は、センサ本体５１０に結合されたセンサ結合部分５２０をさらに含む。センサ結合部分５２０は、外部の室内空気をセンサ吸気口５１３に導くための流路として機能してもよい。
【０４２３】
本実施形態では、センサ結合部分５２０は、後部パネル１０７の内面に取り付けられている。後部パネル１０７がハウジングカバー４３０の後側に結合されると、センサ結合部分５２０は、センサ本体５１０に結合または接続され得る。このとき、センサ結合部分５２０の貫通孔５２１は、センサ吸気口５１３およびクリーニング孔５１６と連通することができる。
【０４２４】
貫通孔５２１は、センサ結合部分５２０の前面および後面を貫通するように構成されてもよい。したがって、貫通孔５２１の後部から導入された室内空気は、貫通孔５２１を通過した後に、センサ吸気部分５１３に導かれ得る。貫通孔５２１は、センサ本体５１０にアクセスするためのセンサアクセス孔として理解することができる。
【０４２５】
さらに、貫通孔５２１の後部部分は、センサカバー５３０により覆われてもよい。このために、センサ結合部分５２０の後面にフック結合部分（図示せず）が形成されてもよく、これにセンサカバー５３０を着脱することができる。フック結合部分は結合溝を含む。したがって、センサカバー５３０のフック（図示せず）をフック結合部分の結合溝に引っ掛けることができる。
【０４２６】
さらに、ダストセンサ５００は、センサ結合部分５２０の後部に結合されたセンサカバー５３０をさらに含む。センサカバー５３０は、ダストセンサ５００内に空気を吸い込み、ダストセンサ５００内の空気を外部に排出するグリル部分５３１を含む。
【０４２７】
グリル部分５３１は、センサカバー５３０の背面を貫通するように構成されている。グリル部分５３１は、センサ結合部分５２０に形成された貫通孔５２１と連通するように構成されている。
【０４２８】
これにより、グリル部分５３１に吸い込まれた室内空気は、センサ結合部分５２０の貫通孔５２１を通過し、次にセンサケース５１２のセンサ吸気口５１３に吸い込まれる。センサケース５１２のセンサ排出部分５１４に排出された空気は、センサ結合部分５２０の貫通孔５２１を通過することができ、グリル部分５３１を通って外部に排出され得る。
【０４２９】
さらに、センサカバー５３０は、センサ結合部分５２０に形成されたフック結合部分に結合されたフック（図示せず）をさらに含む。フックは、フック結合部分に挿入された係合部分（図示せず）と、ユーザが握ることができるグリップ部分（図示せず）と、を含んでもよい。例えば、グリップ部分は、係合部分から上方に延在してもよい。
【０４３０】
この構成によれば、ユーザがセンサカバー５３０をセンサ結合部分５２０から分離する際に、貫通孔５２１を通してクリーニング孔５１６を外部に露出させることができる。ユーザは、貫通孔５２１およびクリーニング孔５１６を介してセンサ本体５１０にアクセスして、ダストセンサ５００をクリーニングすることができる。
【０４３１】
言い換えると、ユーザは、センサ結合部分５２０を分離したり、後部パネル１０７を分離したりすることなく、センサカバー５３０のみを分離してクリーニング孔５１６にアクセスすることができるので、センサ本体５１０の内部に堆積したダストなどを容易にクリーニングすることができる。
【０４３２】
さらに、複数のセンサ５００、５５０、５６０は、室内空気に含まれる汚染物質の濃度を検出するガスセンサ５５０をさらに含んでもよい。ガスセンサ５５０は、ハウジングカバー４３０の側面に取り付けられている。例えば、ガスセンサ５５０は、ダストセンサ５００の側面に配置されてもよい。
【０４３３】
詳細には、ガスセンサ５５０は、センサブラケット４４０の後面に設けられたセンサ設置空間４４１ａに設置され、室内空気に含まれる汚染物質の濃度を、ハウジングカバー４３０の後側に結合された後部パネル１０７を通して検出することができる。このとき、後部パネル１０７は、ガスセンサ５５０が外部に露出しないように、ガスセンサ５５０を覆っている。
【０４３４】
ガスセンサ５５０は、空気中の汚染物質の濃度を検出するためのセンサ部分５５１と、センサ部分５５１が取り付けられるセンサ基板５５２と、を含んでもよい。
【０４３５】
センサ基板５５２は、センサ部分５５１が取り付けられる空間を提供する。センサ基板５５２は、実質的に長方形のプレート状に形成され、センサ設置空間４４１ａに着座され得る。
【０４３６】
さらに、複数のセンサ５００、５５０、５６０は、室内空気の湿度を検出する湿度センサ５６０をさらに含んでもよい。湿度センサ５６０は、ハウジングカバー４３０の側面に取り付けられている。例えば、湿度センサ５６０は、ガスセンサ５５０の下方に配置されてもよい。
【０４３７】
湿度センサ５６０は、センサブラケット４４０の後面に設けられたセンサ設置空間４４１ａに設置され、ハウジングカバー４３０の後側に結合された後部パネル１０７を通して室内空気の湿度を検出することができる。このとき、後部パネル１０７は、湿度センサ５６０が外部に露出しないように湿度センサ５６０を覆っている。
【０４３８】
湿度センサ５６０は、空気中の水分を検出するためのセンサ部分５６１と、センサ部分５６１が取り付けられるセンサ基板５６２と、を含む。
【０４３９】
センサ基板５６２は、センサ部分５６１が取り付けられる空間を提供する。センサ基板５６２は、実質的に長方形のプレート状に形成され、センサ設置空間４４１ａに着座され得る。
【０４４０】
上述したように、ダストセンサ５００、ガスセンサ５５０、湿度センサ５６０は、ハウジングカバー４３０内の空気の流れがよくない空間、すなわち、ハウジングカバーの外面に密に配置されている。したがって、複数のセンサを設置する設置空間を確保することができ、複数のセンサを一箇所に集中して配置することができるので、センサを容易に管理することができる。
【０４４１】
さらに、貫通孔４４６は、センサ５００、５５０、５６０が設置されるセンサブラケット４４０とガイドプレート４３２、４３３、４３４との間に配置される。
【０４４２】
言い換えると、複数のセンサは、貫通孔４４６によって第２の排出流路４３０ｂ（図１４参照）から離間しているため、第２の排出流路４３０ｂ内の空気の流れが複数のセンサに影響を及ぼすことを防止することができる。したがって、複数のセンサの検出感度を向上させることができる。
【０４４３】
さらに、複数のセンサ５００、５５０、５６０が後部パネル１０７に覆われ、外部に露出しないため、製品の外観をきれいにすることができる。後部パネル１０７を分離すると、複数のセンサ５００、５５０、５６０が外部に露出する可能性があるため、センサ５００、５５０、５６０の一部に故障が発生した場合に、故障したセンサを交換または修理するために後部パネル１０７のみを分離できるため、センサのメンテナンスと管理を簡素化することができる。
【０４４４】
一方、加湿空気清浄機１０は、ハウジングカバー４３０に取り付けられたセンサ充電装置８００をさらに含む。センサ充電装置８００は、ダストセンサ５００、ガスセンサ５５０、および湿度センサ５６０の少なくとも１つまたはすべてに電力を供給するための装置として理解することができる。
【０４４５】
詳細には、センサ充電装置８００は、充電のための複数の構成要素、すなわち、その中に埋め込まれた充電モジュールを有する充電装置ケース８１０を含む。
【０４４６】
充電装置ケース８１０は、実質的に六面体形状を有しており、センサブラケット４４０の後面に取り付けられている。具体的には、充電装置ケース８１０は、センサブラケット４４０を支持する第１の支持体４４３の後面に取り付けられる。
【０４４７】
このとき、充電装置ケース８１０は、センサブラケット４４０に取り付けられた複数のセンサ５００、５５０、５６０よりもハウジングカバー４３０の後方にさらに突出してもよい。
【０４４８】
言い換えると、充電装置ケース８１０が取り付けられる面は、複数のセンサ５００、５５０、５６０が取り付けられる面よりもさらに後方に突出してもよい。充電装置ケース８１０は、後部パネル１０７を介して外部に露出してもよい。
【０４４９】
さらに、充電装置ケース８１０は、外部充電プラグが挿入されるプラグ挿入ポート８１２をさらに含む。プラグ挿入ポート８１２は、外部電源部分（図示せず）に接続されたプラグが充電装置ケース８１０に電気的に接続される部分として理解することができる。
【０４５０】
例えば、プラグ挿入ポート８１２は、充電装置ケース８１０の上面部分に形成されてもよい。言い換えると、プラグ挿入ポート８１２は、充電装置ケース８１０の上面部分から下方に窪むように形成されてもよい。
【０４５１】
さらに、充電装置ケース８１０は、充電装置ケース８１０をセンサブラケット４４０に固定するための接続部分８１４をさらに含んでもよい。例えば、接続部分８１４は、充電装置ケース８１０の両側からそれぞれ延在してもよい。接続部分８１４は、第１の支持体４４３に設けられた充電装置締結部分４４３ａ（図２４参照）に締結部材により締結されてもよい。
【０４５２】
さらに、センサ充電装置８００は、充電装置ケース８１０に結合された充電装置カバー８２０をさらに含む。例えば、充電装置カバー８２０は、前面部分が開放された六面体形状を有してもよい。
【０４５３】
充電装置カバー８２０は、充電装置ケース８１０が後部パネル１０７を介して外部に露出することを防止するように機能する。このために、充電装置カバー８２０は、充電装置ケース８１０が露出される後部パネル１０７の領域に配置されてもよい。言い換えると、充電装置カバー８２０は、後部パネル１０７に形成された開口部分１０７ａを後部パネル１０７の後面から遮蔽するように取り付けられてもよい。このとき、充電装置カバー８２０を着脱できるように、充電装置カバー８２０を後部パネル１０７の後面に取り付けてもよい。
【０４５４】
要約すると、充電装置ケース８１０は、後部パネル１０７の開口部分１０７ａから外部に露出することができ、露出した充電装置ケース８１０は、充電装置カバー８２０によって選択的に覆われ得る。
【０４５５】
さらに、充電装置カバー８２０には、外部充電プラグが通るプラグ貫通孔８２１が形成されている。プラグ貫通孔８２１は、充電プラグを充電装置カバー８２０内に位置する充電装置ケース８１０に電気的に接続するための部分として理解することができる。
【０４５６】
例えば、プラグ貫通孔８２１は、充電装置カバー８２０の上面部分に設けられてもよい。プラグ貫通孔８２１は、充電装置カバーの一部を切断することにより、充電装置カバー８２０の上面部分に形成されてもよい。充電装置ケース８１０のプラグ挿入ポート８１２は、プラグ貫通孔８２１を通して露出され得る。言い換えると、プラグ貫通孔８２１とプラグ挿入ポート８１２とは、互いに面して連通するように配置することができる。
【０４５７】
したがって、ユーザは、プラグ貫通孔８２１を通してプラグ挿入ポート８１２にプラグを挿入することにより、センサ充電装置８００に電力を供給することができる。次いで、センサ充電装置８００は、プラグを介して供給される電力を、ダストセンサ５００、ガスセンサ５５０、および湿度センサ５６０の少なくとも１つまたはすべてに供給することができる。
【０４５８】
さらに、プラグ貫通孔８２１には、ダストや水分などの異物がプラグ貫通孔８２１に侵入することを防止するための異物防止部分（図示せず）が設けられてもよい。例えば、異物防止部分は、ゴムなどの弾性材料で形成され、プラグ貫通孔８２１の内部に設けられてもよい。異物防止部分は、プラグ貫通孔８２１を選択的に開閉するように構成されてもよい。このような構成により、ユーザは、充電装置カバー８２０を介してセンサ充電装置８００に容易にアクセスすることができる。したがって、複数のセンサの充電を容易かつ容易に行うことができる。
【０４５９】
一方、後部パネル１０７は、ハウジングカバー４３０の後側を覆うことができる。言い換えると、後部パネル１０７は、加湿空気清浄機１０の最後部側に位置してもよい。
【０４６０】
詳細には、後部パネル１０７は、ハウジングカバー４３０の後側に配置されたプレート部分を含んでもよい。
【０４６１】
プレート部分は、長方形のプレート形状を有してもよい。プレート部分は、複数のセンサ５００、５５０、５６０、またはセンサ充電装置８００などを覆うために、ハウジングカバー４３０の後側に結合されてもよい。
【０４６２】
プレート部分には、センサ充電装置８００が貫通する開口部分１０７ａが設けられてもよい。開口部分１０７ａは、センサ充電装置８００の形状に対応する形状に形成されてもよい。
【０４６３】
後部パネル１０７がハウジングカバー４３０に結合されると、センサ充電装置８００の少なくとも一部は、開口部分１０７ａによって外部に露出されてもよい。
【０４６４】
さらに、露出したセンサ充電装置８００は、充電装置カバー８２０によって遮蔽されてもよい。
【０４６５】
後部パネル１０７は、締結部材によってハウジングカバー４３０の後側に締結されるパネル締結部分１０７ｂをさらに含んでもよい。パネル締結部分１０７ｂは、締結部材によってハウジングカバー４３０の締結部分４３８ａに締結されることにより、ハウジングカバー４３０に固定されてもよい。パネル締結部分１０７ｂは、プレート部分の前面に形成されてもよい。
【０４６６】
後部パネル１０７には、本体フレーム１１０に挿入されるように前方に突出する挿入部分１０７ｃと、挿入部分１０７ｃを固定または支持するための支持リブ１０７ｄと、下端部分に溝として形成されたサービス溝１０７ｅと、がさらに設けられている。
【０４６７】
挿入部分１０７ｃは、後部パネル１０７の下端部の両側にそれぞれ設けられてもよい。挿入部分１０７ｃは前方に突出し、本体フレーム１１０の下端部に挿入されてもよい。したがって、後部パネル１０７は、本体フレーム１１０の後部に結合することができる。
【０４６８】
支持リブ１０７ｄは、挿入部分１０７ｃを固定して支持するために、後部パネル１０７から前方に延在してもよい。
【０４６９】
さらに、支持リブ１０７ｄは、ハウジングカバー４３０に結合された結合ブラケットとして機能してもよい。この場合、プレート部分の上部部分および下部部分に結合ブラケットを設けてもよい。
【０４７０】
サービス溝１０７ｅは、加湿空気清浄機１０の移動を容易にするために、後部パネル１０７の下端部分から上方に窪んでいてもよい。
【０４７１】
さらに、後部パネル１０７には、フィルタ処理され加湿された空気が排出される排出部分１０９と、排出部分１０９の側面に位置し、空気が排出されない非排出部分１０９Ａと、が設けられている。
【０４７２】
具体的には、後部パネル１０７の上部部分が┐形状に屈曲されてもよい。さらに、後部パネル１０７の上部部分は前方に延在してもよい。言い換えると、後部パネル１０７の上面が形成されてもよい。
【０４７３】
後部パネル１０７の上面には、垂直方向に貫通するように形成された開口部分１０９、１０９Ａが形成されてもよい。
【０４７４】
開口部分１０９、１０９Ａは、排出部分１０９と非排出部分１０９Ａとを含んでもよい。
【０４７５】
排出部分１０９は、ハウジングカバー４３０（図１６参照）の第２の排出流路４３０ｂと垂直方向に面することができ、非排出部分１０９Ａは、延長プレート４３６と垂直方向に面することができる。
【０４７６】
開口部分１０９、１０９Ａの第２のガイド４３３と第３のガイド４３４との間の垂直方向の空間が、排出部分１０９として形成されてもよい。言い換えると、開口部分１０９、１０９Ａの第２の排出流路４３０ｂに面する部分が排出部分１０９であり、延長プレート４３６に面する部分が非排出部分１０９Ａを形成することができる。
【０４７７】
排出部分１０９の面積は、非排出部分１０９Ａの面積よりも大きくてもよい。
【０４７８】
排出部分１０９は、第２の排出流路４３０ｂと排出ポートとが互いに連通するように形成されてもよい。
【０４７９】
排出部分１０９は、ハウジングアセンブリ４００を通過して外部に排出される空気をガイドすることができる。
【０４８０】
言い換えると、後部パネル１０７がハウジングカバー４３０の後側に結合されると、排出部分１０９はハウジングカバー４３０の上端部に位置することができる。言い換えると、排出部分１０９は、第２の排出流路４３０ｂの上側に位置している。
【０４８１】
後部パネル１０７は、排出部分１０９を通過する空気の排出方向をガイドする排出グリル１７０をさらに含んでもよい。
【０４８２】
排出グリル１７０は、開口部分１０９、１０９Ａを上方から覆ってもよい。言い換えると、排出グリル１７０は、ハウジングカバー４３０の開口端部分４３１ａおよび延長プレート４３６を覆ってもよい。
【０４８３】
詳細には、排出グリル１７０の一部は排出部分１０９を覆うことができ、他の部分は非排出部分１０９Ａを覆うことができる。言い換えると、排出グリル１７０の一部は、第２の排出流路４３０ｂと垂直方向に面することができ、他の部分は、延長プレート４３６と垂直方向に面することができる。
【０４８４】
後部パネル１０７は、排出グリル１７０が設置されるグリル設置溝１０７ｆをさらに含んでもよい。グリル設置溝１０７ｆは、後部パネル１０７の上面から下方に窪むように形成されてもよい。排出グリル１７０は、グリル設置溝１０７ｆに着座されてもよい。
【０４８５】
グリル設置溝１０７ｆは、グリルガイド１７５の上端部が上部パネル１０５の上端部と同じ高さに位置するように下方に窪んでいてもよい。言い換えると、グリル設置溝１０７ｆに設置された排出グリル１７０の上端部は、上部パネル１０５の上端部と水平面を形成してもよい。
【０４８６】
グリル設置溝１０７ｆは、後部パネル１０７の上面の開口部に沿って形成された溝として画定されてもよい。
【０４８７】
グリル設置溝１０７ｆは、後部パネル１０７の上面と段差を形成してもよい。グリル設置溝１０７ｆは、開口部分１０９、１０９Ａの縁部に位置してもよい。例えば、排出グリル１７０は、グリル設置溝１０７ｆに着座されてもよい。
【０４８８】
図３０は、本発明の一実施形態による後部パネルの一部の拡大図である。
【０４８９】
排出グリル１７０は、グリル設置溝１０７ｆに沿って着座する外側フレームと、排出部分１０９を通過する空気の流れ方向をガイドするためのグリルガイド１７５と、を含んでもよい。
【０４９０】
言い換えると、グリルガイド１７５は、排出部分１０９の上方に位置してもよい。グリルガイド１７５は、後部パネル１０７の上面の長辺方向に延在するフレームとして形成されてもよい。
【０４９１】
グリルガイド１７５は、複数のグリルガイド１７５が所定の間隔で互いに離間されるように、外側フレームによって形成された内部空間に配置されてもよい。例えば、グリルガイド１７５は、前後方向に沿って互いに離間してもよい。
【０４９２】
したがって、排出部分１０９と外部とは、複数のグリルガイド１７５を通して連通することができる。その結果、排出部分１０９に排出された空気は、複数のグリルガイド１７５の間を流れ、グリルガイド１７５の延在方向に沿って排出されてもよい。
【０４９３】
言い換えると、グリルガイド１７５は、排出される空気の流れ方向をガイドすることができる。
【０４９４】
グリルガイド１７５は、後部パネル１０７の上面から所定の角度θＡだけ上方に傾斜するように延在してもよい。言い換えると、グリルガイド１７５は、前方に傾斜するように形成されてもよい。
【０４９５】
言い換えると、グリルガイド１７５は、仮想垂直線に対して一定の角度を維持することができる。
【０４９６】
グリルガイド１７５は、外側フレームから上方に延在してもよい。さらに、グリルガイド１７５は、上端部に向かって前方に傾斜するように延在してもよい。
【０４９７】
具体的には、グリルガイド１７５は、垂直基準線Ｄ（図１４参照）に平行な仮想垂直線である延長基準線ＤＨと、グリル設置溝１０７ｆの側端部分に位置する延長開始点ＯＨと、を定義してもよい。
【０４９８】
延長基準線ＤＨおよび延長開始点ＯＨは、グリルガイド１７５の下端部で交わるように位置してもよい。
【０４９９】
言い換えると、グリルガイド１７５は、延長基準線ＤＨおよび延長開始点ＯＨに対して、グリルガイド１７５の前方に向かって所定の角度θＡだけ上方に傾斜するように延在することができる。
【０５００】
ここで、グリル設置溝１０７ｆの側端部分に沿って引かれた水平線は地面と平行であってもよい。
【０５０１】
言い換えると、グリルガイド１７５は、上部パネル１０５に向かって上向きに傾斜するように延在してもよい。
【０５０２】
言い換えると、排出部分１０９を通過する空気が前方に導かれるように、排出グリル１７０の上端部がドアアセンブリ２００に向かって傾斜するように排出グリル１７０が延在してもよい。
【０５０３】
したがって、後部パネル１０７が室内壁面に密着するように加湿空気清浄機１０を配置すると、排出部分１０９を通過した排出空気を壁面方向とは反対の部屋の方向に排出することができる。
【０５０４】
図３１Ａおよび図３１Ｂは、本発明の一実施形態による、排出グリルのグリルガイドの傾斜による排出空気流を比較する実験を示すグラフである。
【０５０５】
詳細には、図３１Ａは、グリルガイド１７５が延長基準線ＤＨに沿って垂直方向に延在する場合に、排出部分１０９を通過する排出空気の流れ分布を示す実験グラフである。図３１Ｂは、グリルガイド１７５が延長基準線ＤＨから所定の角度θＡだけ傾いて延長された場合に、排出部分１０９を通過する排出空気の流れ分布を示す実験グラフである。
【０５０６】
本実施形態による加湿空気清浄機は、本棚やテーブルなどの家具を併用するための家庭用加湿空気清浄機であるため、一般的に室内空間に配置される家具と同様に壁面近くに配置することができる。
【０５０７】
図３１Ａを参照すると、後部パネル１０７が壁面Ｗに面するように配置された加湿空気清浄機１０の排出部分１０９から排出された空気は、壁面Ｗに直接に広く当接する空気流を形成することが確認できる。
【０５０８】
図３１Ｂを参照すると、前方に傾斜したグリルガイド１７５により排出部分１０９から排出された空気は、壁面Ｗとは反対側の室内空間に排出されるため、壁面Ｗに直接当接する空気流を最小化できることが確認できる。
【０５０９】
言い換えると、前方に向かって傾斜して延在する排出グリル１７０により加湿空気清浄機１０から排出される空気の流れは、室内壁面から遠ざかるように導くことができる。
【０５１０】
したがって、壁紙に接触する水分を有する排出空気が原因で発生する可能性のある変色、損傷、カビなどを防止できるという利点がある。言い換えると、壁紙の汚染を防ぐことができるので、室内の環境をきれいに保つことができる。
【０５１１】
図３２は、本発明の一実施形態による加湿空気清浄機内の空気の流れを示す断面図である。
【０５１２】
図３２を参照して、本発明の実施形態による加湿空気清浄機１０内の空気の流れについて説明する。
【０５１３】
まず、送風ファン４８０が駆動すると、加湿空気清浄機１０の外部の空気を凹部部分３０を介して吸気口２２５に吸い込むことができる。吸気口２２５から吸い込まれた空気は、上方に流れて引き出し２２０に流れ込む。
【０５１４】
さらに、空気はエアフィルタアセンブリ２８０を通過する。エアフィルタアセンブリ２８０は、エアフィルタ台座部分２２６に着座した状態で前方に傾斜しているため、エアフィルタアセンブリ２８０のフィルタ面を均一に通過することができる。
【０５１５】
エアフィルタアセンブリ２８０でフィルタ処理された空気は後方に流れ、加湿フィルタアセンブリ３００を通過することができる。空気は、加湿フィルタアセンブリ３００を通過する間に加湿され、加湿された空気は、送風ファン４８０を通過することができる。
【０５１６】
したがって、エアフィルタアセンブリ２８０、水槽２６０、および加湿フィルタアセンブリ３００は、引き出し２２０の前部分から順次後方に配置されるので、空気を容易にフィルタ処理して加湿することができる。
【０５１７】
空気は、送風ファン４８０の軸方向に吸い込まれ、半径方向に排出され得る。送風ファン４８０を通過した空気は上方に流れ、排出部分１０９を通って外部に排出され得る。
【０５１８】
言い換えると、空気は、加湿空気清浄機１０の前下部部分に吸い込まれ、後上部部分に排出されるため、流動抵抗が低減され、送風性能を向上させることができる。
【０５１９】
ハウジングアセンブリ４００を通過する空気の内部流路を参照すると、送風ファン４８０の軸方向に流れて排出部分１０９に向かって上方に排出される内部流路を形成することができる。
【０５２０】
以下、内部流路について詳細に説明する。送風ファン４８０の回転軸の方向から導入された空気は、送風ファン４８０の半径方向に排出され、ファンハウジング４１０およびハウジングカバー４３０のガイドによりスクロール形状の流路に沿って排出部分１０９に向かって流れることができる。
【０５２１】
図３３は、本発明の一実施形態による加湿空気清浄機の一部を示す概略図であり、図３４は、本発明の一実施形態による加湿空気清浄機内の空気の流れを示す概略図である。
【０５２２】
図３３および図３４を参照すると、本発明の実施形態による加湿空気清浄機１０は、エアフィルタ２８５、加湿フィルタ３３０、および送風ファン４８０が、互いに離間して一列に配置されることを特徴とする。
【０５２３】
具体的には、加湿空気清浄機１０の前部分にエアフィルタ２８５が配置され、加湿空気清浄機１０の後部分に送風ファン４８０が配置されている。加湿フィルタ３３０は、エアフィルタ２８５と送風ファン４８０との間の空間に配置されている。
【０５２４】
本発明で、加湿フィルタ３３０がエアフィルタ２８５と送風ファン４８０との間の空間に配置される理由は、空気の加湿を促進するためである。
【０５２５】
言い換えると、加湿フィルタ３３０は、エアフィルタ２８５の下流側に配置され、送風ファン４８０の上流側に配置されているため、エアフィルタ２８５を通過した空気を水分を含んだ状態で送風ファン４８０によって外部に迅速に排出することができる。
【０５２６】
本発明とは異なり、加湿フィルタ３３０が送風ファン４８０の下流側に位置する場合には、エアフィルタ２８５および送風ファン４８０を連続的に通過した空気の流量は、加湿フィルタ３３０を通過した後に比較的遅くなり得る。流量が遅くなると、空気が外部に排出されるまでに時間がかかり、その結果、空気中の水分が蒸発する時間が長くなる可能性がある。
【０５２７】
さらに、エアフィルタ２８５は、加湿フィルタ３３０に面するように配置され、加湿フィルタ３３０は、送風ファン４８０に面するように配置されてもよい。このとき、エアフィルタ２８５と加湿フィルタ３３０との間隔Ｌ１は、加湿フィルタ３３０と送風ファン４８０との間隔Ｌ２よりも大きくてもよい。
【０５２８】
エアフィルタ２８５と加湿フィルタ３３０との間隔Ｌ１は、前後方向のエアフィルタ２８５と加湿フィルタ３３０とのそれぞれ任意の点の間隔を意味してもよい。さらに、加湿フィルタ３３０と送風ファン４８０との間隔Ｌ２は、前後方向の加湿フィルタ３３０と送風ファン４８０とのそれぞれ任意の点の間隔を意味してもよい。
【０５２９】
言い換えると、加湿フィルタ３３０をエアフィルタ２８５よりも送風ファン４８０の近くに配置することにより、水分を含む空気が送風ファン４８０により迅速に外部に排出される。
【０５３０】
さらに、エアフィルタ２８５、加湿フィルタ３３０、および送風ファン４８０は、送風ファン４８０のファンモータ４８３（図３２参照）の軸方向に沿って順に配置することができる。
【０５３１】
詳細には、エアフィルタ２８５、加湿フィルタ３３０、および送風ファン４８０は、室内空気がフィルタ処理および加湿のために本質的に通過する構成として実質的に理解される。したがって、エアフィルタ２８５、加湿フィルタ３３０、および送風ファン４８０を一列に配置すれば、空気流方向を真っ直ぐにすることができる。
【０５３２】
言い換えると、加湿空気清浄機１０に吸い込まれた空気は、直進し、エアフィルタ２８５、加湿フィルタ３３０、および送風ファン４８０を迅速に通過することができる。したがって、加湿空気清浄機１０に吸い込まれた空気は、後方に流れながらエアフィルタ２８５、加湿フィルタ３３０、送風ファン４８０を順に通過することができるため、空気のフィルタ処理および加湿効果を向上させることができる。
【０５３３】
一方、ドア下面部分２２４からエアフィルタ２８５の上端部までの高さＨ１は、ドア下面部分２２４から加湿フィルタ３３０の上端部までの高さＨ２よりも高くなるように形成することができる。言い換えると、エアフィルタ２８５の全高を増大させることにより、空気のフィルタ処理性能を改善することができる。
【０５３４】
一方、加湿フィルタ３３０の全高がエアフィルタ２８５の高さより低くても、加湿フィルタ３３０は十分な加湿性能を発揮するため、加湿フィルタ３３０の高さをエアフィルタ２８５よりも低く構成することができる。
【０５３５】
さらに、ドア下面部分２２４から送風ファン４８０の上端部分までの高さＨ３が加湿フィルタ３３０の高さＨ２よりも低くなるように形成されることにより、加湿フィルタ３３０を通過した空気ができるだけ早く外側に排出される。
【０５３６】
さらに、ドア下面部分２２４からエアフィルタ２８５の下端部分までの高さＴ１は、ドア下面部分２２４から加湿フィルタ３３０の下端部までの高さＴ２よりも高くなるように形成することができる。この理由は、加湿フィルタ３３０の場合、水槽２６０に貯蔵された水に十分に浸漬させなければならないからである。
【０５３７】
ドア下面部分２２４から送風ファン４８０の下端部分までの高さＴ３は、エアフィルタ２８５の下端部分の高さＴ１よりも高くなるように形成されてもよい。この構成により、エアフィルタ２８５を通過した空気は、方向を変えることなく真っ直ぐに移動することができ、送風ファン４８０の吸気側に迅速に流入することができる。
【０５３８】
一方、空気流路の観点から、エアフィルタ２８５の吸気側に吸気流路Ｓ１を形成することができ、エアフィルタ２８５と加湿フィルタ３３０との間に第１の中間流路Ｓ２を形成することができ、加湿フィルタ３３０と送風ファン４８０との間に第２の中間流路Ｓ３を形成することができ、送風ファン４８０の排出側に対応するハウジングカバー４３０に排出流路Ｓ４を形成することができる。
【０５３９】
吸気流路Ｓ１は、エアフィルタ２８５の吸気流路として理解され、垂直方向に延在することができる。吸気流路Ｓ１の前後方向の幅は、垂直方向に対して互いに異なるように形成されてもよい。例えば、吸気流路Ｓ１の下側の幅は、吸気流路Ｓ１の上側の幅よりも大きくなるように形成されてもよい。この流路幅の違いは、エアフィルタ２８５の上部部分が前方に傾斜するように配置されている構成に起因し得る。
【０５４０】
第１の中間流路Ｓ２は、水容器２７０の上方に形成されてもよい。第１の中間流路Ｓ２は、加湿フィルタ３３０の吸気流路として理解され、前後方向に延在してもよい。第１の中間流路Ｓ２の前後方向の長さは、吸気流路Ｓ１の前後方向の長さよりも長くなるように形成されてもよい。
【０５４１】
第２の中間流路Ｓ３は、送風ファン４８０の吸気流路として理解され、前後方向に延在してもよい。第２の中間流路Ｓ３を流れる空気は、送風ファン４８０の軸方向に流れてもよい。第２の中間流路Ｓ３の前後方向の長さは、第１の中間流路Ｓ２の前後方向の長さよりも短くなるように形成されてもよい。
【０５４２】
排出流路Ｓ４は、送風ファン４８０の排出流路として理解することができる。排気流路Ｓ４は、送風ファン４８０が設置される空間、すなわち、ファンハウジング４１０とハウジングカバー４３０とによって形成される空間に形成されてもよい。排出流路Ｓ４を流れた空気は、排出部分１０９を通って上方に排出することができる。排出流路Ｓ４は、上述した第１の排出流路４３０ａ（図１４参照）および第２の排出流路４３０ｂ（図１４参照）を含んでもよい。
【０５４３】
したがって、エアフィルタアセンブリ２８０、水槽２６０、および加湿フィルタアセンブリ３００は、引き出し２２０の前部分から順次後方に配置されるので、空気を容易にフィルタ処理して加湿することができる。
【０５４４】
図３５は、本発明の別の実施形態によるハウジングカバーを示す正面図であり、図３６は、図３５に示すハウジングカバーのカットオフの拡大図であり、図３７Ａは、比較例として関連技術におけるハウジングカバーを示す斜視図であり、図３７Ｂは、本発明の別の実施形態によるハウジングカバーを示す斜視図であり、図３８Ａは、比較例として関連技術におけるハウジングカバーのカットオフの概要を示す図であり、図３８Ｂは、本発明の別の実施形態によるハウジングカバーのカットオフの概要を示す図である。
【０５４５】
詳細には、図３５は、便宜上、センサブラケット４４０を省略した図である。
【０５４６】
以下に説明する他の実施形態は、ハウジングカバーの構成を除いて上記実施形態と同様であるため、重複する内容は省略し、相違点を主に説明する。
【０５４７】
第１のガイド４３２は、カットオフ部分４３５からの空気の流れ方向に送風ファン４８０から離れるように形成することができる。詳細には、第１のガイド４３２は、インペラ４８５の外周から円周方向に徐々に離れるスクロール形状を有してもよい。
【０５４８】
第１のガイド４３２は、基準角度点（ｋ＝０°または３６０°）と基準点Ｏを中心とするカットオフ部分４３５との間に形成されてもよい。ここで、基準角度点（ｋ＝０°または３６０°）は、第１のガイド４３２と第２のガイド４３３が交わる点を指してもよい。
【０５４９】
カットオフ部分４３５は、インペラ４８５の回転方向（例えば、時計回り）に約９０°に配置されてもよい。インペラ４８５の回転中心は、ｋ＝９０°の方向から見たときに、カットオフ部分４３５と重なるように配置されてもよい。
【０５５０】
第１のガイド４３２は、カットオフ部分４３５から基準角度点（ｋ＝０°または３６０°）までの全体にわたってまたはその一部にわたって、インペラ４８５の回転中心軸に直交する方向に丸みを帯びるように形成されてもよい。
【０５５１】
インペラ４８５の回転方向に沿ってカットオフ部分４３５から基準角度点（ｋ＝０°または３６０°）に近づくほど、第１のガイド４３２の曲率は小さくなり、曲率半径は大きくなる。
【０５５２】
第１のガイド４３２の内面とインペラ４８５の外面との間には、インペラ４８５により半径方向に排出された空気が流れる第１の排出流路４３０ａが形成されてもよい。
【０５５３】
第１の排出流路４３０ａの流れ断面積は、インペラ４８５の回転方向に沿って徐々に増加してもよい。言い換えると、第１のガイド４３２の内面とインペラ４８５の外面との間の距離は、インペラ４８５の回転方向に沿って徐々に大きくすることができる。
【０５５４】
ここで、インペラ４８５の外面は、半径方向においてインペラ４８５の中心から最も遠い距離に位置する円周面として理解することができる。したがって、インペラ４８５の外面は、送風ファン４８０の外周または送風ファン４８０の外端部分と呼ばれる場合がある。
【０５５５】
第１のガイド４３２の内面とインペラ４８５の外面との間の距離は、排出流路の内幅と呼ばれる場合がある。
【０５５６】
カットオフ部分４３５とｋ＝１８０°の点との間の排出流路内幅ｃｆ１は、ｋ＝１８０°の点とｋ＝２７０°の点との間の排出流路内幅ｃｆ２よりも狭くなるように形成することができる。
【０５５７】
第３のガイド４３４は、第１のガイド４３２の一方の側に設けられたカットオフ部分４３５から延在することができ、第２のガイド４３３は、第１のガイド４３２の他方の側から延在することができる。
【０５５８】
詳細には、第３のガイド４３４および第２のガイド４３３は、インペラ４８５から離れる方向、例えば、実質的に上向きに延在してもよい。
【０５５９】
第３のガイド４３４と第２のガイド４３３との間には第２の排出流路４３０ｂが形成されてもよく、第２の排出流路４３０ｂは第１の排出流路４３０ａに接続される。
【０５６０】
第３のガイド４３４および第２のガイド４３３は、空気の流れ方向に沿って互いに離れるように移動するように構成されてもよい。したがって、第２の排出流路４３０ｂの流れ断面積は、空気の流れ方向に徐々に増加してもよい。
【０５６１】
カットオフ部分４３５は、第１のガイド４３２と第３のガイド４３４との間に位置してもよく、第２の排出流路４３０ｂに向かって突出するように形成されてもよい。
【０５６２】
カットオフ部分４３５は、隙間を形成するためにインペラ４８５の外面から離間してもよい。
【０５６３】
一方、隙間が大きすぎる場合には、第１の排出流路４３０ａから排出流路４３３ｂに流れる空気の一部が再び隙間に吸い込まれる可能性がある。再取り込みは、逆流現象として定義される。逆流が発生すると、送風ファン４８０の性能が低下する可能性がある。
【０５６４】
逆に、隙間が小さすぎると、カットオフ部分４３５の端部部分に流れ圧力が集中する可能性がある。したがって、流れノイズが比較的大きくなる可能性がある。したがって、隙間は適切に調整する必要がある。
【０５６５】
例えば、カットオフ部分４３５とインペラ４８５の外面との間の最小距離ｇは、インペラ４８５の直径Ｇの８％以上１０％以下であることが好ましい。
【０５６６】
言い換えると、第１の接続部分７０２と後述するインペラ４８５の外周との間の最小距離ｇは、インペラ４８５の直径Ｇの８％以上１０％以下であることが好ましい。第１の接続部分７０２の外周とインペラ４８５との間の最小距離ｇは、カットオフギャップと呼ばれる場合がある。
【０５６７】
一方、図３７Ａおよび図３８Ａを参照すると、従来のハウジングカバーのカットオフ部分４３５’は、長手方向（以下、第１の方向）に丸くなるように形成されてもよいし、丸く形成されずに幅方向（以下、第２の方向）に平坦になるように形成されてもよい。
【０５６８】
言い換えると、従来のカットオフ部分４３５’は、第１の方向に対して所定の曲率を有するが、第２の方向に対してはその曲率はゼロである。
【０５６９】
ここで、第１の方向は、第１のガイド４３２と第３のガイド４３４とを互いに結合する方向を意味してもよい。第２の方向は、カットオフ部分４３５の前端部と後端部とを結ぶ方向として定義されてもよい。
【０５７０】
一方、図３７Ｂおよび図３８Ｂを参照すると、本発明の実施形態によるハウジングカバー４３０のカットオフ部分４３５は、第１の方向に対して丸く形成されるだけでなく、カットオフ部分４３５の少なくとも一部が第２の方向に対して丸くなるように形成されてもよい。
【０５７１】
これにより、第１の排出流路４３０ａから第２の排出流路４３０ｂに流れる空気の一部がカットオフ部分４３５の端部部分に衝突する際に発生するノイズを低減することができる。
【０５７２】
カットオフ部分４３５の構成についてより詳細に説明する。
【０５７３】
カットオフ部分４３５は、輪郭７０１を第１のガイド４３２に接続する第１の接続部分７０２と、輪郭７０１を第３のガイド４３４に接続する第２の接続部分７０３と、を含む。
【０５７４】
輪郭７０１は、カットオフ部分４３５の端部部分、より具体的には、カットオフ部分４３５の排出流路４３３ｂの方向に最も突出する部分の輪郭を意味することができる。
【０５７５】
カットオフ部分４３５の輪郭７０１の少なくとも一部は、第２の方向に対して少なくとも部分的に丸く形成されてもよい。
【０５７６】
図３８Ａを参照すると、関連技術におけるハウジングカバーのカットオフの輪郭７０１’は、第２の方向に対して直線形状を有する。一方、図３８Ｂを参照すると、本発明の実施形態によるハウジングカバー４３０のカットオフ部分４３５の輪郭７０１は、輪郭７０１の少なくとも一部が第２の方向に対して所定の曲率を有するように形成されてもよい。
【０５７７】
カットオフ部分４３５の輪郭７０１に当たる空気の流量は、第２の方向の位置に応じて変化してもよい。言い換えると、カットオフ部分４３５の輪郭は、位置ごとに異なる流量分布を有してもよい。例えば、カバープレート４３１に隣接する点での空気の流量は、ファンハウジング４１０（図１２参照）に隣接する点での空気の流量よりも遅くなってもよい。
【０５７８】
本実施形態によるハウジングカバー４３０のカットオフ部分４３５の輪郭７０１は、上述した位置による流量分布に対応するように形成されてもよい。
【０５７９】
詳細には、カットオフ部分４３５の輪郭７０１は、カバープレート４３１に斜めに接続された直線部分７０４と、直線部分７０４から延在することによりファンハウジング４１０に接続された丸み部分７０５と、を含んでもよい。
【０５８０】
直線部分７０４は、第２の方向に対して傾斜した方向に細長くてもよい。直線部分７０４の外端部とカバープレート４３１との間の角度α１は、鈍角であってもよい。
【０５８１】
一方、丸み部分７０５は、第２の方向に対して所定の曲率を有するように丸く形成されてもよい。丸み部分７０５は、ファンハウジング４１０に向かって凸状となるように形成されてもよい。
【０５８２】
丸み部分７０５の外端部とファンハウジング４１０とによって形成される角度α２は、鋭角であってもよい。ここで、角度α２は、ファンハウジング４１０に接続された丸み部分７０５の端部部分に対する接線ｔとファンハウジング４１０とによって形成される角度を意味してもよい。
【０５８３】
第２の方向における直線部分７０４の長さＹ３は、カバープレート４３１とファンハウジング４１０との間の距離Ｙ１の半分であってもよい。
【０５８４】
さらに、第２の方向に対する丸み部分７０５の長さＹ２は、カバープレート４３１とファンハウジング４１０との間の距離Ｙ１の半分であってもよい。
【０５８５】
このとき、カバープレート４３１とファンハウジング４１０との間の距離Ｙ１は、第２の方向に対する輪郭７０１の長さＹ１を意味してもよい。
【０５８６】
詳細には、直線部分７０４と丸み部分７０５との間の境界を形成する点は、変曲点５０６と呼ぶことができる。さらに、第２の方向に対するカバープレート４３１と変曲点５０６との間の距離Ｙ３は、カバープレート４３１とファンハウジング４１０との間の距離Ｙ１の半分であってもよい。
【０５８７】
同様に、第２の方向に対するファンハウジング４１０と変曲点５０６との間の距離Ｙ２は、カバープレート４３１とファンハウジング４１０との間の距離Ｙ１の半分であってもよい。
【０５８８】
言い換えると、第２の方向に対するカバープレート４３１と変曲点５０６との間の距離Ｙ３は、ファンハウジング４１０と変曲点５０６との間の距離Ｙ２に等しくすることができる。
【０５８９】
一方、カットオフ部分４３５は、第１の方向に対して丸くなるように形成されてもよい。したがって、第３のガイド４３４は、第１のガイド４３２の一方の端部部分と反対方向に延在してもよい。
【０５９０】
カットオフ部分４３５は、第１の方向に対して輪郭７０１において最大曲率を有してもよい。
【０５９１】
詳細には、第１の方向に対する第１の接続部分７０２の曲率および第１の方向に対する第２の接続部分７０３の曲率は、それぞれ輪郭７０１に向かって大きくなり、最大曲率に収束してもよい。
【０５９２】
最大曲率は、インペラ４８５の直径Ｇの５％であることが好ましい。
【０５９３】
最大曲率は、輪郭７０１に沿って一定に保つことができる。言い換えると、直線部分７０４の第１の方向の曲率と丸み部分７０５の第１の方向の曲率は互いに等しくてもよい。
【０５９４】
一方、第１の接続部分７０２と第２の接続部分７０３は、各々３次元曲面を含んでもよい。ここで、３次元曲面とは、第１の方向および第２の方向に対して所定の曲率を有する曲面を意味する。したがって、３次元曲面は自由曲面と呼ばれる場合がある。
【０５９５】
以下では、実験グラフを参照して、上述したカットオフ部分４３５の構造によるノイズ低減効果を説明する。
【０５９６】
図３９は、関連技術におけるハウジングカバーに取り付けられた送風ファンと、本発明の別の実施形態によるハウジングカバーに取り付けられた送風ファンと、の風量によるノイズの変化を示すグラフである。
【０５９７】
図３９を参照すると、関連技術における送風ファンａから発生するノイズは、すべての気流について、本実施形態による送風ファンｂよりも大きいことが確認できる。
【０５９８】
特に、関連技術の送風ファンａでは、風量が３．７ＣＭＭのときに３４．３ｄＢのノイズが測定され、本実施形態による送風ファンｂでは、風量が３．７ＣＭＭのときに３２．０ｄＢのノイズが測定されたので、２．３ｄＢのノイズ低減効果が確認できた。
【０５９９】
図４０Ａは、比較例として関連技術におけるハウジングカバーに取り付けられた送風ファンの動作周波数によるノイズの変化を示すグラフであり、図４０Ｂは、本発明の別の実施形態によるハウジングカバーに取り付けられた送風ファンの動作周波数によるノイズの変化を示すグラフである。
【０６００】
図４０Ａおよび図４０Ｂを参照すると、関連技術の送風ファンで発生する特定周波数のノイズが、本実施形態による送風ファンでは低減されていることが確認できる。
【０６０１】
より具体的には、従来の送風ファンでは、５００Ｈｚ〜１０００Ｈｚの第１の周波数を有する２０ｄＢの第１のノイズピークＰ１が測定され、１５００Ｈｚ〜２０００Ｈｚの第２の周波数を有する０ｄＢの第２のノイズピークＰ２が測定された。
【０６０２】
一方、本実施形態による送風ファンでは、第１の周波数を有する１０ｄＢ未満の第３のノイズピークＰ３が測定され、第２の周波数を有する−１０ｄＢ未満の第４のノイズピークＰ４が測定された。言い換えると、第１の周波数および第２の周波数のそれぞれにおけるノイズが著しく減少していることが確認できる。
【０６０３】
図４１Ａは、比較例として関連技術におけるハウジングカバーのカットオフの概要を示す図であり、図４１Ｂ〜図４１Ｄは、本発明の別の実施形態によるハウジングカバーの、変曲点の位置に応じたカットオフの概要を示す図であり、図４２は、図４１Ａ〜図４１Ｄに示す各ハウジングカバーに取り付けられた送風ファンの、風量によるノイズの変化を示すグラフである。
【０６０４】
図４１Ａに示すカットオフ４３５’の輪郭７０１’は、垂直線形状を有する。
【０６０５】
図４１Ｂに示すカットオフ４３５の輪郭７０１は、その高さの２０％で変曲点７０６を有してもよい。言い換えると、直線部分７０４の高さ（０．２×Ｙ１）は、輪郭７０１の高さＹ１の０．２倍であってもよく、丸み部分７０５の高さ（０．８×Ｙ１）は、輪郭７０１の高さＹ１の０．８倍であってもよい。
【０６０６】
図４１Ｃに示すカットオフ４３５の輪郭７０１は、その高さの５０％で変曲点７０６を有してもよい。言い換えると、直線部分７０４の高さ（０．５×Ｙ１）および丸み部分７０５の高さ（０．５×Ｙ１）は、それぞれ輪郭７０１の高さＹ１の０．５倍であってもよい。
【０６０７】
図４１Ｄに示すカットオフ４３５の輪郭７０１は、その高さの８０％で変曲点７０６を有してもよい。言い換えると、直線部分７０４の高さ（０．８×Ｙ１）は、輪郭７０１の高さＹ１の０．８倍であってもよく、丸み部分７０５の高さ（０．２×Ｙ１）は、輪郭７０１の高さＹ１の０．２倍であってもよい。
【０６０８】
図４２を参照すると、本実施形態によるハウジングカバー４３０に取り付けられた送風ファンｂ、ｃ、ｄは、関連技術のハウジングカバーに取り付けられた送風ファンａよりノイズが少ないことが確認できる。
【０６０９】
以下では、図４１Ｂに示す輪郭７０１を有するハウジングカバーに取り付けられた送風ファンを第１の送風ファンｂと呼び、図４１Ｃに示す輪郭７０１を有するハウジングカバーに取り付けられた送風ファンを第２の送風ファンｃと呼び、図４１Ｄに示す輪郭７０１を有するハウジングカバーに取り付けられた送風ファンを第３の送風ファンｄと呼ぶ。
【０６１０】
風量が５．３ＣＭＭの場合に基づいて、関連技術のハウジングカバーに取り付けられた送風ファンａで４１．７ｄＢのノイズが測定され、第１の送風ファンｂで４０．９ｄＢのノイズが測定され、第２の送風ファンｃで４０．４ｄＢのノイズが測定され、第３の送風ファンｄで４１．４ｄＢのノイズが測定された。言い換えると、関連技術のハウジングカバーに取り付けられた送風ファンａと比較すると、第１の送風ファンｂは０．８ｄＢ減少し、第２の送風ファンｃは１．３ｄＢ減少し、第３の送風ファンｄは０．３ｄＢ減少した。
【０６１１】
その結果、本実施形態によるハウジングカバー４３０に取り付けられた送風ファンｂ、ｃ、ｄは、関連技術の送風ファンａと比較して、ノイズ低減効果を有しており、特に、変曲点７０６が輪郭（７０２）の高さの５０％の点に位置する場合に、ノイズ低減効果が最も良くなり得る。
【０６１２】
実施形態のすべての要素が１つに結合されるか、または組み合わされた状態で動作されるとしても、本開示はそのような実施形態に限定されない。言い換えると、本発明の範囲を逸脱することなく、すべての要素を互いに選択的に組み合わせることができる。さらに、１つの要素がいくつかの要素を備える（または含むまたは有する）と記述されている場合には、それらの要素のみを備える（または含むまたは有する）ことができ、あるいは特定の制限がない場合にはそれらの要素だけでなく他の要素も備える（または含むまたは有する）ことができることを理解されたい。本明細書で特に明確に定義されていない限り、技術用語または科学用語を含むすべての用語には、当業者によって理解される意味が与えられるものとする。辞書で定義される用語と同様に、一般的に使用される用語は、技術的な文脈で使用される意味として解釈する必要があり、ここで特に明確に定義されない限り、理想的または過度に形式的な意味として解釈されない。
【０６１３】
いくつかの例示的な実施形態を参照して実施形態を説明したが、添付の特許請求の範囲で定義された本発明の趣旨および範囲から逸脱することなく、形態および詳細の様々な変更を行うことができることを当業者は理解するであろう。したがって、好ましい実施形態は、限定の目的ではなく説明の意味でのみ考慮されるべきであり、本発明の技術的範囲は実施形態に限定されない。さらに、本発明の詳細な説明によってではなく、添付の特許請求の範囲によって定義され、範囲内のすべての相違は、本開示に含まれると解釈される。
【符号の説明】
【０６１４】
１０  加湿空気清浄機
３０  凹部部分
１００  キャビネット
１０１  第１のベース
１０３  サイドパネル
１０５  上部パネル
１０７  後部パネル
１０７ａ  開口部分
１０７ｂ  パネル締結部分
１０７ｃ  挿入部分
１０７ｄ  支持リブ
１０７ｅ  サービス溝
１０７ｆ  グリル設置溝
１０９  排出部分
１０９Ａ  非排出部分
１１０  本体フレーム
１１２  空間部分
１１６  照明ブラケット
１２０  反射プレート
１２２  照明ＰＣＢ
１２４  照明ケース
１３０  上部ファン
１７０  排出グリル
１７５  グリルガイド
２００  ドアアセンブリ
２１０  ドアパネル
２２０  引き出し
２２１  ドア前面部分
２２２  ドア側面部分
２２３  ドア後面部分
２２４  ドア下面部分
２２５  吸気口
２２５ａ  フィルタガイド
２２５ｂ  フィルタ支持体
２２６  エアフィルタ台座部分
２２７  水槽台座部分
２２８  貫通孔
２２９ａ  第１の貯水部分
２２９ｂ  第２の貯水部分
２３０  レールガイド
２３５  スライドレール
２３６  レールカバー
２６０  水槽
２６１  水容器支持部分
２６２  フロート収容部分
２６９  殺菌装置
２７０  水容器
２７５  底面部分
２７５ａ  バルブ孔
２７６  フロート装置
２８０  エアフィルタアセンブリ
２８１  エアフィルタケース
２８５  エアフィルタ
３００  加湿フィルタアセンブリ
３１０  加湿フィルタケース
３１５  シャフト支持体
３３０  加湿フィルタ
３３２  リフタ
３３５  中心シャフト
３３８  フィルタギヤ
３５３  駆動モータ
３５５  駆動ギヤ
４００  ハウジングアセンブリ
４１０  ファンハウジング
４１１  ハウジングプレート
４１３  取付リブ
４１３ａ  ファンモータ設置空間
４１５  ファン吸気口
４１７  制限リブ
４３０  ハウジングカバー
４３０ａ  第１の排出流路
４３０ｂ  第２の排出流路
４３１  カバープレート
４３１ａ  開口端部分
４３２  ガイドプレート／第１のガイド
４３２ａ  後端部分
４３２ｂ  前端部分
４３３  ガイドプレート／第２のガイド
４３３ａ  切断部分
４３３ｂ  排出流路
４３４  ガイドプレート／第３のガイド
４３４ａ  後端部分
４３４ｂ  前端部分
４３５  カットオフ部分
４３５’  カットオフ部分
４３５ａ  後端部接触点
４３５ｂ  前端部接触点
４３６  延長プレート
４３６ａ  段付きリブ
４３８  結合ブラケット
４３８ａ  締結部分
４４０  センサブラケット
４４１  ブラケット本体
４４１ａ  センサ設置空間
４４１ｂ  支持リブ
４４１ｃ  センサ締結部分
４４３  ブラケット支持体／第１の支持体
４４３ａ  充電装置締結部分
４４５  ブラケット支持体／第２の支持体
４４６  貫通孔
４５０  電気ユニット
４５１  電気プレート
４５３  電気部品
４５５  電気カバー
４８０  送風ファン
４８１  ロック部分
４８２  モータカバー
４８３  ファンモータ
４８５  インペラ
４８６  ハブ
４８７  取付孔
４８８  ブレード
４８８’  ブレード
４９０  メインプレート
４９２  固定部分
５００  ダストセンサ
５０６  変曲点
５１０  センサ本体
５１１  センサ基板
５１２  センサケース
５１２ａ  センサ流路
５１３  センサ吸気口
５１４  センサ排出部分
５１５  端子部分
５１６  クリーニング孔
５１７  ヒータ
５１８  光送信部分
５１９  光受信部分
５２０  センサ結合部分
５２１  貫通孔
５３０  センサカバー
５３１  グリル部分
５５０  ガスセンサ
５５１  センサ部分
５５２  センサ基板
５６０  湿度センサ
５６１  センサ部分
５６２  センサ基板
６０１  正圧面
６０１’  正圧面
６０２  負圧面
６０２’  負圧面
６０３  前縁
６０４  後縁
６０５  接続曲面
６０５Ａ  基準点
６０６  第１の線形面
６０７  第２の線形面
６０８  流れ曲面
６５１  第１の仮想直線
６５２  第２の仮想直線
６５４  仮想円
６５５  点
６５６  平均キャンバ線
６５７  仮想線
６５８  最大キャンバ点
７０１  輪郭
７０１’  輪郭
７０２  第１の接続部分
７０３  第２の接続部分
７０４  直線部分
７０５  丸み部分
７０６  変曲点
８００  センサ充電装置
８１０  充電装置ケース
８１２  プラグ挿入ポート
８１４  接続部分
８２０  充電装置カバー
８２１  プラグ貫通孔
Ｃ  翼弦
ＣＬ  翼弦長
Ｄ  垂直基準線
ＤＨ  延長基準線
ＤＬ  所定距離
ＤＭ  接線
ＤＰ  接線
Ｆ  空気流方向
Ｍ  最大キャンバ
ＭＬ  最大キャンバ位置
Ｏ  基準点
ＯＨ  延長開始点
Ｓ  回転軸
ＴＨ  所定角度
Ｗ  壁面
【図１】
2020079692.tif 000003
【図２】
2020079692.tif 000004
【図３】
2020079692.tif 000005
【図４】
2020079692.tif 000006
【図５】
2020079692.tif 000007
【図６】
2020079692.tif 000008
【図７】
2020079692.tif 000009
【図８】
2020079692.tif 000010
【図９】
2020079692.tif 000011
【図１０】
2020079692.tif 000012
【図１１】
2020079692.tif 000013
【図１２】
2020079692.tif 000014
【図１３】
2020079692.tif 000015
【図１４】
2020079692.tif 000016
【図１５】
2020079692.tif 000017
【図１６】
2020079692.tif 000018
【図１７Ａ】
2020079692.tif 000019
【図１７Ｂ】
2020079692.tif 000020
【図１８】
2020079692.tif 000021
【図１９】
2020079692.tif 000022
【図２０Ａ】
2020079692.tif 000023
【図２０Ｂ】
2020079692.tif 000024
【図２１】
2020079692.tif 000025
【図２２】
2020079692.tif 000026
【図２３】
2020079692.tif 000027
【図２４】
2020079692.tif 000028
【図２５】
2020079692.tif 000029
【図２６】
2020079692.tif 000030
【図２７】
2020079692.tif 000031
【図２８】
2020079692.tif 000032
【図２９】
2020079692.tif 000033
【図３０】
2020079692.tif 000034
【図３１Ａ】
2020079692.tif 000035
【図３１Ｂ】
2020079692.tif 000036
【図３２】
2020079692.tif 000037
【図３３】
2020079692.tif 000038
【図３４】
2020079692.tif 000039
【図３５】
2020079692.tif 000040
【図３６】
2020079692.tif 000041
【図３７Ａ】
2020079692.tif 000042
【図３７Ｂ】
2020079692.tif 000043
【図３８Ａ】
2020079692.tif 000044
【図３８Ｂ】
2020079692.tif 000045
【図３９】
2020079692.tif 000046
【図４０Ａ】
2020079692.tif 000047
【図４０Ｂ】
2020079692.tif 000048
【図４１Ａ】
2020079692.tif 000049
【図４１Ｂ】
2020079692.tif 000050
【図４１Ｃ】
2020079692.tif 000051
【図４１Ｄ】
2020079692.tif 000052
【図４２】
2020079692.tif 000053
【外国語明細書】
2020079692000001.pdf